(57)【要約】  5G通信をサポートするネットワークは、シンボル、スロット、またはサブフレームにわたって、およびそれらの内部でも、異なるヌメロロジーをサポートし得る。基準信号、またはスクランブリングコードを用いてスクランブルされたデータなどのシーケンスが、そのような混合ヌメロロジーをもつリソース上で送信され得る。本開示の一態様では、方法、コンピュータ可読媒体、および装置が提供される。装置はユーザ機器であり得る。UEは、基地局と通信するための割り当てられたリソースの指示を受信するように構成され得る。UEはまた、割り当てられたリソースに関連付けられたヌメロロジーを決定すること、および、ヌメロロジーに基づいて、1つまたは複数のインデックスを決定することを行うように構成され得る。UEはまた、1つまたは複数のインデックスに基づいて、シーケンスを生成し、シーケンスに基づいて、基地局と通信し得る。
2020504472.tif 000002
【特許請求の範囲】
【請求項１】
ユーザ機器(UE)によるワイヤレス通信の方法であって、
基地局と通信するための割り当てられたリソースの指示を受信するステップと、
前記割り当てられたリソースに関連付けられたサブキャリア間隔またはシンボル持続時間のうちの少なくとも1つを備える、ヌメロロジーを決定するステップと、
前記ヌメロロジーに基づいて、前記割り当てられたリソースのための1つまたは複数のインデックスを決定するステップと、
前記1つまたは複数のインデックスに基づいて、シーケンスを生成するステップと、
前記シーケンスに基づいて、前記基地局と通信するステップと
を含む方法。
【請求項２】
前記指示がダウンリンク割当てを備え、前記基地局と通信するステップが、前記ダウンリンク割当てに基づいてダウンリンク送信を受信するステップと、前記シーケンスに基づくチャネル推定、または前記シーケンスに基づいて、前記ダウンリンク送信において受信されたスクランブルされたデータを復号することのうちの少なくとも1つを実行するステップとを含む、請求項1に記載の方法。
【請求項３】
前記指示がアップリンク許可を備え、前記基地局と通信するステップが、アップリンク送信において基準信号を送信するステップ、または、前記シーケンスに基づいて、前記アップリンク送信のためのデータをスクランブルするステップのうちの少なくとも1つを含み、前記アップリンク送信が、前記アップリンク許可に基づく、請求項1に記載の方法。
【請求項４】
前記基地局から、前記ヌメロロジーを示す情報を受信するステップをさらに含み、前記情報が、マスタ情報ブロック(MIB)、システム情報ブロック(SIB)、または無線リソース制御(RRC)シグナリングにおいて受信される、請求項1に記載の方法。
【請求項５】
前記ヌメロロジーを決定するステップが、第1の割り当てられたリソースに関連付けられた第1のヌメロロジーを決定するステップと、第2の割り当てられたリソースに関連付けられた第2のヌメロロジーを決定するステップとを含み、前記第1のヌメロロジーおよび前記第2のヌメロロジーが異なる、請求項1に記載の方法。
【請求項６】
前記ヌメロロジーを決定するステップが、前記割り当てられたリソースのための複数の基準ヌメロロジーを決定するステップを含み、前記1つまたは複数のインデックスを決定するステップが、前記割り当てられたリソースの部分を、前記複数のヌメロロジーにおける対応する基準ヌメロロジーと比較するステップを含む、請求項1に記載の方法。
【請求項７】
前記割り当てられたリソースのための前記1つまたは複数のインデックスを決定するステップが、
前記割り当てられたリソースに関連付けられた第1のリソースブロック(RB)の第1のRBロケーションを、対応する基準ヌメロロジーの第2のRBロケーションとマッチングすることによって、RBインデックスを決定するステップであって、前記RBインデックスが、前記対応する基準ヌメロロジー内の前記第2のRBロケーションに基づく、ステップ、
前記割り当てられたリソースに関連付けられた第1のシンボルの第1のシンボルロケーションを、対応する基準ヌメロロジーの第2のシンボルロケーションとマッチングすることによって、シンボルインデックスを決定するステップであって、前記シンボルインデックスが、前記対応する基準ヌメロロジー内の前記第2のシンボルロケーションに基づく、ステップ、または
前記割り当てられたリソースに関連付けられた第1の周波数サブキャリアロケーションを、対応する基準ヌメロロジーにおける第2の周波数サブキャリアロケーションとマッチングすることによって、周波数サブキャリアインデックスを決定するステップであって、前記周波数サブキャリアインデックスが、前記対応する基準ヌメロロジー内の前記第2の周波数サブキャリアロケーションに基づく、ステップ
のうちの1つまたは複数を含む、請求項1に記載の方法。
【請求項８】
前記割り当てられたリソースのための前記1つまたは複数のインデックスを決定するステップが、前記割り当てられたリソースを、基準ヌメロロジーを有するインデックス付き時間周波数グリッドと比較するステップと、最も近い一致を選定するステップとを含む、請求項1に記載の方法。
【請求項９】
前記ヌメロロジーを決定するステップが、前記割り当てられたリソースにおける複数のアップリンク(UL)リソースまたはダウンリンク(DL)リソースのうちの1つに関連付けられた、サブキャリア間隔およびシンボル持続時間を決定するステップであって、前記複数のULリソースまたはDLリソースのうちの前記1つが、少なくとも2つの異なるサブキャリア間隔またはシンボル持続時間を備える、ステップを含む、請求項1に記載の方法。
【請求項１０】
ワイヤレス通信のためのユーザ機器(UE)であって、
メモリと、
前記メモリに結合された少なくとも1つのプロセッサとを備え、前記少なくとも1つのプロセッサが、
基地局と通信するための割り当てられたリソースの指示を受信すること、
前記割り当てられたリソースに関連付けられたサブキャリア間隔またはシンボル持続時間のうちの少なくとも1つを備える、ヌメロロジーを決定すること、
前記ヌメロロジーに基づいて、前記割り当てられたリソースのための1つまたは複数のインデックスを決定すること、
前記1つまたは複数のインデックスに基づいて、シーケンスを生成すること、および
前記シーケンスに基づいて、前記基地局と通信すること
を前記UEに行わせるように構成される、ユーザ機器。
【請求項１１】
前記指示がダウンリンク割当てを備え、前記基地局と通信することが、前記ダウンリンク割当てに基づいてダウンリンク送信を受信すること、および、前記シーケンスに基づくチャネル推定、または前記シーケンスに基づいて、前記ダウンリンク送信において受信されたスクランブルされたデータを復号することのうちの少なくとも1つを実行することを含む、請求項10に記載のユーザ機器。
【請求項１２】
前記指示がアップリンク許可を備え、前記基地局と通信することが、アップリンク送信において基準信号を送信すること、または、前記シーケンスに基づいて、前記アップリンク送信のためのデータをスクランブルすることのうちの少なくとも1つを含み、前記アップリンク送信が、前記アップリンク許可に基づく、請求項10に記載のユーザ機器。
【請求項１３】
前記少なくとも1つのプロセッサが、前記基地局から、前記ヌメロロジーを示す情報を受信することを、前記UEに行わせるようにさらに構成され、前記情報が、マスタ情報ブロック(MIB)、システム情報ブロック(SIB)、または無線リソース制御(RRC)シグナリングにおいて受信される、請求項10に記載のユーザ機器。
【請求項１４】
前記ヌメロロジーを決定することが、第1の割り当てられたリソースに関連付けられた第1のヌメロロジーを決定すること、および、第2の割り当てられたリソースに関連付けられた第2のヌメロロジーを決定することを含み、前記第1のヌメロロジーおよび前記第2のヌメロロジーが異なる、請求項10に記載のユーザ機器。
【請求項１５】
前記ヌメロロジーを決定することが、前記割り当てられたリソースのための複数の基準ヌメロロジーを決定することを含み、前記1つまたは複数のインデックスを決定することが、前記割り当てられたリソースの部分を、前記複数のヌメロロジーにおける対応する基準ヌメロロジーと比較することを含む、請求項10に記載のユーザ機器。
【請求項１６】
前記割り当てられたリソースのための前記1つまたは複数のインデックスを決定することが、
前記割り当てられたリソースに関連付けられた第1のリソースブロック(RB)の第1のRBロケーションを、対応する基準ヌメロロジーの第2のRBロケーションとマッチングすることによって、RBインデックスを決定することであって、前記RBインデックスが、前記対応する基準ヌメロロジー内の前記第2のRBロケーションに基づく、決定すること、
前記割り当てられたリソースに関連付けられた第1のシンボルの第1のシンボルロケーションを、対応する基準ヌメロロジーにおける第2のシンボルロケーションとマッチングすることによって、シンボルインデックスを決定することであって、前記シンボルインデックスが、前記対応する基準ヌメロロジー内の前記第2のシンボルロケーションに基づく、決定すること、または
前記割り当てられたリソースに関連付けられた第1の周波数サブキャリアロケーションを、対応する基準ヌメロロジーにおける第2の周波数サブキャリアロケーションとマッチングすることによって、周波数サブキャリアインデックスを決定することであって、前記周波数サブキャリアインデックスが、前記対応する基準ヌメロロジー内の前記第2の周波数サブキャリアロケーションに基づく、決定すること
のうちの1つまたは複数を含む、請求項10に記載のユーザ機器。
【請求項１７】
前記割り当てられたリソースのための前記1つまたは複数のインデックスを決定することが、前記割り当てられたリソースを、基準ヌメロロジーを有するインデックス付き時間周波数グリッドと比較すること、および、最も近い一致を選定することを含む、請求項10に記載のユーザ機器。
【請求項１８】
前記ヌメロロジーを決定することが、前記割り当てられたリソースにおける複数のアップリンク(UL)リソースまたはダウンリンク(DL)リソースのうちの1つに関連付けられた、サブキャリア間隔およびシンボル持続時間を決定することであって、前記複数のULリソースまたはDLリソースのうちの前記1つが、少なくとも2つの異なるサブキャリア間隔またはシンボル持続時間を備える、決定することを含む、請求項10に記載のユーザ機器。
【請求項１９】
ユーザ機器(UE)であって、
基地局と通信するための割り当てられたリソースの指示を受信するための手段と、
前記割り当てられたリソースに関連付けられたサブキャリア間隔またはシンボル持続時間のうちの少なくとも1つを備える、ヌメロロジーを決定するための手段と、
前記ヌメロロジーに基づいて、前記割り当てられたリソースのための1つまたは複数のインデックスを決定するための手段と、
前記1つまたは複数のインデックスに基づいて、シーケンスを生成するための手段と、
前記シーケンスに基づいて、前記基地局と通信するための手段と
を備えるユーザ機器。
【請求項２０】
前記指示がダウンリンク割当てを備え、前記基地局と通信することが、前記ダウンリンク割当てに基づいてダウンリンク送信を受信すること、および、前記シーケンスに基づくチャネル推定、または前記シーケンスに基づいて、前記ダウンリンク送信において受信されたスクランブルされたデータを復号することのうちの少なくとも1つを実行することを含む、請求項19に記載のユーザ機器。
【請求項２１】
前記指示がアップリンク許可を備え、前記基地局と通信することが、アップリンク送信において基準信号を送信すること、または、前記シーケンスに基づいて、前記アップリンク送信のためのデータをスクランブルすることのうちの少なくとも1つを含み、前記アップリンク送信が、前記アップリンク許可に基づく、請求項19に記載のユーザ機器。
【請求項２２】
前記基地局から、前記ヌメロロジーを示す情報を受信するための手段をさらに備え、前記情報が、マスタ情報ブロック(MIB)、システム情報ブロック(SIB)、または無線リソース制御(RRC)シグナリングにおいて受信される、請求項19に記載のユーザ機器。
【請求項２３】
前記ヌメロロジーを決定することが、第1の割り当てられたリソースに関連付けられた第1のヌメロロジーを決定すること、および、第2の割り当てられたリソースに関連付けられた第2のヌメロロジーを決定することを含み、前記第1のヌメロロジーおよび前記第2のヌメロロジーが異なる、請求項19に記載のユーザ機器。
【請求項２４】
前記ヌメロロジーを決定することが、前記割り当てられたリソースのための複数の基準ヌメロロジーを決定することを含み、前記1つまたは複数のインデックスを決定することが、前記割り当てられたリソースの部分を、前記複数のヌメロロジーにおける対応する基準ヌメロロジーと比較することを含む、請求項19に記載のユーザ機器。
【請求項２５】
前記割り当てられたリソースのための前記1つまたは複数のインデックスを決定するための前記手段が、
前記割り当てられたリソースに関連付けられた第1のRBの第1のRBロケーションを、対応する基準ヌメロロジーの第2のRBロケーションとマッチングすることによって、RBインデックスを決定することであって、前記RBインデックスが、前記対応する基準ヌメロロジー内の前記第2のRBロケーションに基づく、決定すること、
前記割り当てられたリソースに関連付けられた第1のシンボルの第1のシンボルロケーションを、対応する基準ヌメロロジーにおける第2のシンボルロケーションとマッチングすることによって、シンボルインデックスを決定することであって、前記シンボルインデックスが、前記対応する基準ヌメロロジー内の前記第2のシンボルロケーションに基づく、決定すること、または
前記割り当てられたリソースに関連付けられた第1の周波数サブキャリアロケーションを、対応する基準ヌメロロジーにおける第2の周波数サブキャリアロケーションとマッチングすることによって、周波数サブキャリアインデックスを決定することであって、前記周波数サブキャリアインデックスが、前記対応する基準ヌメロロジー内の前記第2の周波数サブキャリアロケーションに基づく、決定すること
を行うように構成される、請求項19に記載のユーザ機器。
【請求項２６】
前記割り当てられたリソースのための前記1つまたは複数のインデックスを決定することが、前記割り当てられたリソースを、基準ヌメロロジーを有するインデックス付き時間周波数グリッドと比較すること、および、最も近い一致を選定することを含む、請求項19に記載のユーザ機器。
【請求項２７】
前記ヌメロロジーを決定することが、前記割り当てられたリソースにおける複数のアップリンク(UL)リソースまたはダウンリンク(DL)リソースのうちの1つに関連付けられた、サブキャリア間隔およびシンボル持続時間を決定することであって、前記複数のULリソースまたはDLリソースのうちの前記1つが、少なくとも2つの異なるサブキャリア間隔またはシンボル持続時間を備える、決定することを含む、請求項19に記載のユーザ機器。
【請求項２８】
ワイヤレス通信のための基地局であって、
メモリと、
前記メモリに結合された少なくとも1つのプロセッサとを備え、前記少なくとも1つのプロセッサが、
リソースに関連付けられたヌメロロジーを決定すること、
ユーザ機器による使用のために前記リソースを割り当てること、
前記リソースに関連付けられたサブキャリア間隔またはシンボル持続時間のうちの少なくとも1つを備える、前記ヌメロロジーをシグナリングすることであって、前記ヌメロロジーが、マスタ情報ブロック(MIB)、システム情報ブロック(SIB)、または無線リソース制御(RRC)シグナリングのうちの少なくとも1つにおいてシグナリングされる、こと、および
前記ヌメロロジーに基づいて、前記割り当てられたリソースを介して、前記ユーザ機器と通信すること
を前記基地局に行わせるように構成される、基地局。
【請求項２９】
前記少なくとも1つのプロセッサが、前記リソースの第1の部分のための第1のヌメロロジーと、前記リソースの第2の部分のための第2のヌメロロジーとを決定するように構成され、前記ヌメロロジーをシグナリングすることが、前記第1のヌメロロジーをシグナリングすること、および前記第2のヌメロロジーをシグナリングすることを含む、請求項28に記載の基地局。
【請求項３０】
前記リソースに関連付けられた前記ヌメロロジーを決定することが、複数のアップリンク(UL)リソースまたはダウンリンク(DL)リソースのうちの1つに関連付けられた、サブキャリア間隔およびシンボル持続時間を決定することであって、前記複数のULリソースまたはDLリソースのうちの前記1つが、少なくとも2つの異なるサブキャリア間隔またはシンボル持続時間を備える、決定することを含む、請求項28に記載の基地局。
【発明の詳細な説明】
【技術分野】
【０００１】
関連出願の相互参照
本出願は、その全体が参照により本明細書に明確に組み込まれる、2016年11月10日に出願された「SEQUENCE GENERATION FOR SYSTEMS SUPPORTING MIXED NUMEROLOGIES」と題する米国仮出願第62/420,462号、および2017年9月22日に出願された「SEQUENCE GENERATION FOR SYSTEMS SUPPORTING MIXED NUMEROLOGIES」と題する米国特許出願第15/713,593号の利益を主張する。
【０００２】
本開示は、一般に通信システムに関し、より詳細には、混合ヌメロロジーをサポートするシステムのためのシーケンス生成に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を採用することがある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
これらの多元接続技術は、様々なワイヤレスデバイスが都市、国家、地域、さらには地球レベルで通信することを可能にする共通プロトコルを提供するために、様々な電気通信規格において採用されている。例示的な電気通信規格は5G New Radio(NR)である。5G NRは、レイテンシ、信頼性、セキュリティ、スケーラビリティ(たとえば、モノのインターネット(IoT)との)に関連する新しい要件、および他の要件を満たすように、第3世代パートナーシッププロジェクト(3GPP)によって公表された継続的なモバイルブロードバンドの進化の一部である。5G NRのいくつかの態様は、4Gロングタームエボリューション(LTE)規格に基づくことがある。5G NR技術のさらなる改善の必要がある。これらの改善はまた、他の多元接続技術、およびこれらの技術を採用する電気通信規格にも適用可能であり得る。
【０００５】
5G(または、new radio(NR))システムは、サブフレームまたは別のタイプのリソース内で異なるヌメロロジーをサポートし得る。新しい設計およびシグナリングが、異なるヌメロロジーをサポートするために必要とされる。
【発明の概要】
【課題を解決するための手段】
【０００６】
以下で、1つまたは複数の態様の基本的理解を可能にするために、そのような態様の簡略化された概要を提示する。この概要は、すべての考えられる態様の包括的な概説ではなく、すべての態様の主要または重要な要素を特定することも、いずれかまたはすべての態様の範囲を定めることも意図していない。その唯一の目的は、後で提示するより詳細な説明の導入として、1つまたは複数の態様のいくつかの概念を簡略化された形で提示することである。
【０００７】
5G通信をサポートするネットワークは、サブフレームまたはシンボルにわたって、およびそれらの内部でも、異なるヌメロロジー(たとえば、割り当てられたリソースに関連付けられた、サブキャリア間隔またはシンボル持続時間のうちの少なくとも1つ)をサポートし得る。たとえば、2つの異なるサブフレームは、異なるサブキャリア間隔を有し得、サブフレーム内のシンボルは、異なるサブキャリア間隔を有し得、シンボル内のリソースブロックは、異なるサブキャリア間隔を有し得る。サポートされ得るスケーラブルなヌメロロジーは、3.75kHz、7.5kHz、15kHz、30kHz、60kHz、120kHz、240kHz、480kHz、および他の値のサブキャリア間隔を含む。一態様では、基準信号、またはスクランブリングコードを用いてスクランブルされたデータなどのシーケンスが、混合ヌメロロジーをもつリソース上で送信され得る。一態様は、線形フィードバックシフトレジスタ(LFSR)を使用して、PNスクランブリングシーケンスを生成することによって、スクランブリングを実行し得る。異なるシーケンスは、LFSRのための異なるシードを使用して生成され得る。シードは、チャネルのタイプ(PUSCH、PDSCHなど)に応じて、RBインデックス、OFDMシンボルインデックス、シンボルインデックス、および/または他のインデックスの関数であり得る。一態様では、このフレームワークは、new radio(NR)に同様に適用され得る。インデックス(RB/ofdmシンボル/スロットインデックス)は、シードの一部であり得るので、一態様は、混合ヌメロロジーの場合のインデックスを決定し得る。混合ヌメロロジーをもつリソース(たとえば、シンボル)のための基準信号およびスクランブリングコードをどのように生成するかを決定する必要がある。
【０００８】
本開示の一態様では、方法、コンピュータ可読媒体、および装置が提供される。装置はユーザ機器(UE)であり得る。UEは、基地局と通信するための割り当てられたリソースの指示を受信するように構成され得る。UEはまた、割り当てられたリソースに関連付けられたサブキャリア間隔またはシンボル持続時間のうちの少なくとも1つを備える、ヌメロロジーを決定するように構成され得る。追加として、UEは、ヌメロロジーに基づいて、割り当てられたリソースのための1つまたは複数のインデックスを決定するように構成され得る。UEはまた、1つまたは複数のインデックスに基づいて、シーケンスを生成し、シーケンスに基づいて、基地局と通信し得る。
【０００９】
本開示の別の態様では、方法、コンピュータ可読媒体、および装置が提供される。装置は基地局であり得る。装置は、リソースに関連付けられたヌメロロジーを決定するように構成され得る。装置は、リソースに関連付けられた、決定されたヌメロロジーを送信するように構成され得る。装置は、送信されたヌメロロジーに基づいて、リソースを介して、信号を通信するように構成され得る。
【００１０】
上記の目的および関係する目的を達成するために、1つまたは複数の態様は、以下で十分に説明され、特に特許請求の範囲で指摘する特徴を含む。以下の説明および添付の図面は、1つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むものである。
【図面の簡単な説明】
【００１１】
【図１】ワイヤレス通信システムおよびアクセスネットワークの一例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワークにおける基地局およびユーザ機器(UE)の一例を示す図である。
【図４Ａ】リソースブロック内のシンボルを示す第1の図である。
【図４Ｂ】リソースブロック内のシンボルを示す第2の図である。
【図５】インデックス決定の第1の例の図である。
【図６】インデックス決定の第2の例の図である。
【図７】インデックス決定の第3の例の図である。
【図８】インデックス決定の第4の例の図である。
【図９】インデックス決定の第5の例の図である。
【図１０】混合ヌメロロジーを伴うシーケンス生成の第1の方法の図である。
【図１１】最も近い対応するシンボルロケーションを選択するための第1の方法の図である。
【図１２】シンボルインデックスを選択するための方法の図である。
【図１３】混合ヌメロロジーを伴うシーケンス生成の第2の方法の図である。
【図１４】ワイヤレス通信の方法のフローチャートである。
【図１５】例示的な装置における異なる手段/構成要素間のデータフローを示す概念データフロー図である。
【図１６】処理システムを採用する装置のためのハードウェア実装形態の一例を示す図である。
【図１７】ワイヤレス通信の方法のフローチャートである。
【図１８】例示的な装置における異なる手段/構成要素間のデータフローを示す概念データフロー図である。
【図１９】処理システムを採用する装置のためのハードウェア実装形態の一例を示す図である。
【発明を実施するための形態】
【００１２】
添付の図面に関して以下に記載する発明を実施するための形態は、様々な構成について説明するものであり、本明細書で説明する概念が実践されてもよい唯一の構成を表すものではない。発明を実施するための形態は、様々な概念の完全な理解を与える目的で、具体的な詳細を含む。しかしながら、これらの概念がこれらの具体的な詳細なしに実践され得ることが、当業者には明らかであろう。いくつかの事例では、そのような概念を不明瞭にすることを避けるために、よく知られている構造および構成要素がブロック図の形態で示される。
【００１３】
以下に、電気通信システムのいくつかの態様を、様々な装置および方法を参照しながら提示する。これらの装置および方法について、以下の発明を実施するための形態において説明し、(「要素」と総称される)様々なブロック、構成要素、回路、プロセス、アルゴリズムなどによって添付の図面に示す。これらの要素は、電子ハードウェア、コンピュータソフトウェア、またはそれらの任意の組合せを使用して実装される場合がある。そのような要素がハードウェアとして実装されるか、またはソフトウェアとして実装されるかは、特定の適用例および全体的なシステムに課される設計制約に依存する。
【００１４】
例として、要素、または要素の任意の部分、または要素の任意の組合せは、1つまたは複数のプロセッサを含む「処理システム」として実装され得る。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の好適なハードウェアがある。処理システムの中の1つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１５】
したがって、1つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、またはコンピュータ可読媒体上に1つもしくは複数の命令もしくはコードとして符号化され得る。コンピュータ可読媒体は、コンピュータ記憶媒体を含む。記憶媒体は、コンピュータによってアクセス可能な任意の利用可能な媒体であり得る。限定ではなく例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備え得る。
【００１６】
図1は、ワイヤレス通信システムおよびアクセスネットワーク100の一例を示す図である。(ワイヤレスワイドエリアネットワーク(WWAN)とも呼ばれる)ワイヤレス通信システムは、基地局102と、UE104と、発展型パケットコア(EPC)160とを含む。基地局102は、マクロセル(高電力セルラー基地局)および/またはスモールセル(低電力セルラー基地局)を含み得る。マクロセルは基地局を含む。スモールセルは、フェムトセルと、ピコセルと、マイクロセルとを含む。
【００１７】
(発展型ユニバーサルモバイルテレコミュニケーションズシステム(UMTS)地上波無線アクセスネットワーク(E-UTRAN)と総称される)基地局102は、バックホールリンク132(たとえば、S1インターフェース)を通してEPC160とインターフェースする。他の機能に加えて、基地局102は、以下の機能、すなわち、ユーザデータの転送、無線チャネルの暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信のうちの1つまたは複数を実行し得る。基地局102は、バックホールリンク134(たとえば、X2インターフェース)上で互いに直接的または(たとえば、EPC160を通して)間接的に通信し得る。バックホールリンク134は、ワイヤードまたはワイヤレスであり得る。
【００１８】
基地局102は、UE104とワイヤレスに通信し得る。基地局102の各々は、それぞれの地理的カバレージエリア110に通信カバレージを提供し得る。重複する地理的カバレージエリア110が存在する場合がある。たとえば、スモールセル102'は、1つまたは複数のマクロ基地局102のカバレージエリア110と重複するカバレージエリア110'を有する場合がある。スモールセルとマクロセルの両方を含むネットワークは、異種ネットワークとして知られていることがある。異種ネットワークは、限定加入者グループ(CSG)として知られる限定グループにサービスを提供し得るホーム発展型ノードB(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、多入力多出力(MIMO)アンテナ技術を使用し得る。通信リンクは、1つまたは複数のキャリアを介することがある。基地局102/UE104は、各方向における送信に使用される合計YxMHz(x個のコンポーネントキャリア)までのキャリアアグリゲーションにおいて割り振られた、キャリア当たりYMHz(たとえば、5、10、15、20、100MHz)までの帯域幅のスペクトルを使用することができる。キャリアは、互いに隣接することも、隣接しないこともある。キャリアの割振りは、DLおよびULに関して非対称であることがある(たとえば、DLに対して、ULよりも多数または少数のキャリアが割り振られることがある)。コンポーネントキャリアは、1次コンポーネントキャリアと、1つまたは複数の2次コンポーネントキャリアとを含むことがある。1次コンポーネントキャリアは1次セル(PCell)と呼ばれることがあり、2次コンポーネントキャリアは2次セル(SCell)と呼ばれることがある。
【００１９】
いくつかのUE104は、デバイスツーデバイス(D2D)通信リンク192を使用して、互いに通信し得る。D2D通信リンク192は、DL/UL WWANスペクトルを使用し得る。D2D通信リンク192は、物理サイドリンクブロードキャストチャネル(PSBCH)、物理サイドリンク発見チャネル(PSDCH)、物理サイドリンク共有チャネル(PSSCH)、および物理サイドリンク制御チャネル(PSCCH)など、1つまたは複数のサイドリンクチャネルを使用し得る。D2D通信は、たとえば、FlashLinQ、WiMedia、Bluetooth(登録商標)、ZigBee、IEEE802.11規格に基づくWi-Fi、LTE、またはNRなど、様々なワイヤレスD2D通信システムを通したものであり得る。
【００２０】
ワイヤレス通信システムは、5GHz無認可周波数スペクトル内で通信リンク154を介してWi-Fi局(STA)152と通信しているWi-Fiアクセスポイント(AP)150をさらに含む場合がある。無認可周波数スペクトル内で通信するとき、STA152/AP150は、チャネルが利用可能であるか否かを決定するために、通信するより前にクリアチャネルアセスメント(CCA)を実行し得る。
【００２１】
スモールセル102'は、認可および/または無認可周波数スペクトル内で動作し得る。無認可周波数スペクトル内で動作しているとき、スモールセル102'は、NRを採用し、Wi-Fi AP150によって使用されるのと同じ5GHz無認可周波数スペクトルを使用し得る。無認可周波数スペクトル内でNRを採用するスモールセル102'は、アクセスネットワークへのカバレージをブーストすること、および/またはアクセスネットワークの容量を増加させることができる。
【００２２】
gノードB(gNB)180は、UE104と通信するときにミリメートル波(mmW)周波数および/または準mmW周波数(near mmW frequency)で動作し得る。gNB180がmmW周波数または準mmW周波数で動作するとき、gNB180はmmW基地局と呼ばれ得る。極高周波数(EHF:Extremely High Frequency)は、電磁スペクトルにおけるRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF:Super High Frequency)帯域は、センチメートル波とも呼ばれ、3GHzから30GHzの間に及ぶ。mmW/準mmW無線周波数帯域を使用する通信は、極めて高い経路損失および短距離を有する。mmW基地局180は、極めて高い経路損失および短距離を補償するために、UE104に対してビームフォーミング184を利用し得る。
【００２３】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンター(BM-SC)170と、パケットデータネットワーク(PDN)ゲートウェイ172とを含み得る。MME162は、ホーム加入者サーバ(HSS)174と通信していることがある。MME162は、UE104とEPC160との間のシグナリングを処理する制御ノードである。一般に、MME162はベアラと接続管理とを提供する。すべてのユーザインターネットプロトコル(IP)パケットは、サービングゲートウェイ166を通じて転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス、および/または他のIPサービスを含み得る。BM-SC170は、MBMSユーザサービスのプロビジョニングおよび配信のための機能を提供することができる。BM-SC170は、コンテンツプロバイダMBMS送信のためのエントリポイントとして機能することがあり、パブリックランドモバイルネットワーク(PLMN)内のMBMSベアラサービスを認可および開始するために使用されることがあり、MBMS送信をスケジュールするために使用されることがある。MBMSゲートウェイ168は、特定のサービスをブロードキャストするマルチキャストブロードキャスト単一周波数ネットワーク(MBSFN)エリアに属する基地局102にMBMSトラフィックを配信するために使用されることがあり、セッション管理(開始/停止)およびeMBMS関係の課金情報を収集することを担うことがある。
【００２４】
基地局は、gNB、ノードB、発展型ノードB(eNB)、アクセスポイント、トランシーバ基地局、無線基地局、無線トランシーバ、トランシーバ機能、基本サービスセット(BSS)、拡張サービスセット(ESS)、または何らかの他の好適な用語で呼ばれることもある。基地局102は、UE104のためにEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メーター、ガスポンプ、トースター、または任意の他の同様の機能デバイスがある。UE104の一部は、IoTデバイス(たとえば、パーキングメーター、ガスポンプ、トースター、車両など)と呼ばれ得る。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２５】
再び図1を参照すると、いくつかの態様では、UE104/基地局180は、混合ヌメロロジーに基づいて、シーケンス(たとえば、基準信号またはスクランブリングコード)を生成するように構成され得る(198)。
【００２６】
図2Aは、DLフレーム構造の一例を示す図200である。図2Bは、DLフレーム構造内のチャネルの一例を示す図230である。図2Cは、ULフレーム構造の一例を示す図250である。図2Dは、ULフレーム構造内のチャネルの一例を示す図280である。他のワイヤレス通信技術は、異なるフレーム構造および/または異なるチャネルを有することがある。フレーム(10ms)は、等しいサイズの10個のサブフレームに分割され得る。各サブフレームは、2つの連続するタイムスロットを含み得る。2つのタイムスロットを表すためにリソースグリッドが使用される場合があり、各タイムスロットは、1つまたは複数の(物理RB(PRB)とも呼ばれる)時間同時の(time concurrent)リソースブロック(RB)を含む。リソースグリッドは、複数のリソース要素(RE)に分割される。ノーマルサイクリックプレフィックスの場合、RBは、合計84個のREについて、周波数領域において12個の連続するサブキャリアを含み得、時間領域において7つの連続するシンボル(DLの場合はOFDMシンボル、ULの場合はSC-FDMAシンボル)を含み得る。拡張サイクリックプレフィックスの場合、RBは、合計72個のREについて、周波数領域において12個の連続するサブキャリアを含み得、時間領域において6つの連続するシンボルを含み得る。各REによって搬送されるビットの数は、変調方式に依存する。
【００２７】
図2Aに示すように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含むことがある。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。
【００２８】
図2Bは、フレームのDLサブフレーム内の様々なチャネルの一例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボル内に4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定応答(NACK)フィードバックを示すHARQインジケータ(HI)を搬送する。1次同期チャネル(PSCH)は、フレームのサブフレーム0および5内のスロット0のシンボル6内にあり得る。PSCHは、サブフレーム/シンボルのタイミングおよび物理レイヤ識別情報を決定するためにUE104によって使用される、1次同期信号(PSS)を搬送する。2次同期チャネル(SSCH)は、フレームのサブフレーム0および5内のスロット0のシンボル5内にあり得、SSCHは、物理レイヤセル識別情報グループ番号と無線フレームタイミングとを決定するためにUEによって使用される、2次同期信号(SSS)を搬送する。物理レイヤ識別情報および物理レイヤセル識別情報グループ番号に基づいて、UEは物理セル識別子(PCI)を決定することができる。PCIに基づいて、UEは、上述のDL-RSのロケーションを決定することができる。物理ブロードキャストチャネル(PBCH)は、マスタ情報ブロック(MIB)を搬送する。MIBは、DLシステム帯域幅の中のRBの数と、PHICH構成と、システムフレーム番号(SFN)とを提供する。物理ダウンリンク共有チャネル(PDSCH)は、ユーザデータと、システム情報ブロック(SIB)などのPBCHを通じて送信されないブロードキャストシステム情報と、ページングメッセージとを搬送する。
【００２９】
図2Cに示すように、REの一部は、基地局におけるチャネル推定のための復調基準信号(DM-RS)を搬送する。UEは、サブフレームの最終シンボルにおいてサウンディング基準信号(SRS)をさらに送信することがある。SRSはコム構造(Comb Structure)を有することがあり、UEは、コムのうちの1つの上でSRSを送信することがある。SRSは、UL上での周波数依存スケジューリングを可能にするために、チャネル品質推定のために基地局によって使用され得る。図2Dは、フレームのULサブフレーム内の様々なチャネルの一例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含むことがある。PRACHにより、UEが初期システムアクセスを実行し、UL同期を実現することが可能になる。物理アップリンク制御チャネル(PUCCH)は、ULシステム帯域幅のエッジ上に位置する場合がある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用されることがある。
【００３０】
図3は、アクセスネットワークにおいてUE350と通信している基地局310のブロック図である。DLでは、EPC160からのIPパケットがコントローラ/プロセッサ375に提供され得る。コントローラ/プロセッサ375は、レイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバーサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けに関連するMACレイヤ機能とを提供する。
【００３１】
送信(TX)プロセッサ316および受信(RX)プロセッサ370は、様々な信号処理機能に関連するレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域において基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を決定するために、ならびに空間処理のために使用されることがある。チャネル推定値は、UE350によって送信された基準信号および/またはチャネル状態フィードバックから導出されることがある。各空間ストリームは、次いで、別個の送信機318TXを介して異なるアンテナ320に提供されることがある。各送信機318TXは、送信のためにそれぞれの空間ストリームでRFキャリアを変調することがある。
【００３２】
UE350において、各受信機354RXは、受信機のそれぞれのアンテナ352を通じて信号を受信する。各受信機354RXは、RFキャリア上に変調された情報を復元し、その情報を受信(RX)プロセッサ356に提供する。TXプロセッサ368およびRXプロセッサ356は、様々な信号処理機能に関連するレイヤ1機能を実装する。RXプロセッサ356は、UE350に宛てられたあらゆる空間ストリームを復元するために、情報に対して空間処理を実行することができる。複数の空間ストリームがUE350に宛てられる場合、複数の空間ストリームは、RXプロセッサ356によって単一のOFDMシンボルストリームへと合成されることがある。次いで、RXプロセッサ356は、高速フーリエ変換(FFT)を使用して、OFDMシンボルストリームを時間領域から周波数領域に変換する。周波数領域信号は、OFDM信号のサブキャリアごとに別個のOFDMシンボルストリームを備える。各サブキャリア上のシンボル、および基準信号は、基地局310によって送信された最も可能性の高い信号コンスタレーションポイントを決定することによって、復元および復調される。これらの軟判定は、チャネル推定器358によって計算されたチャネル推定値に基づき得る。次いで、軟判定は、復号およびデインターリーブされて、物理チャネル上で基地局310によって最初に送信されたデータおよび制御信号を復元する。データおよび制御信号は、次いで、レイヤ3およびレイヤ2の機能を実装するコントローラ/プロセッサ359に提供される。
【００３３】
コントローラ/プロセッサ359は、プログラムコードとデータとを記憶するメモリ360に関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ359はまた、ACKおよび/またはNACKプロトコルを使用してHARQ動作をサポートする誤り検出を担う。
【００３４】
基地局310によるDL送信に関して説明した機能と同様に、コントローラ/プロセッサ359は、システム情報(たとえば、MIB、SIB)収集、RRC接続、および測定報告に関連するRRCレイヤ機能と、ヘッダ圧縮/解凍およびセキュリティ(暗号化、解読、完全性保護、完全性検証)に関連するPDCPレイヤ機能と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先順位付けに関連するMACレイヤ機能とを提供する。
【００３５】
基地局310によって送信された基準信号またはフィードバックからチャネル推定器358によって導出されたチャネル推定値は、適切なコーディングおよび変調方式を選択し、空間的処理を容易にするために、TXプロセッサ368によって使用され得る。TXプロセッサ368によって生成された空間ストリームは、別個の送信機354TXを介して異なるアンテナ352に提供されることがある。各送信機354TXは、送信のためにそれぞれの空間ストリームでRFキャリアを変調し得る。
【００３６】
UL送信は、UE350における受信機機能に関して説明した方法と同様の方法で、基地局310において処理される。各受信機318RXは、受信機のそれぞれのアンテナ320を通じて信号を受信する。各受信機318RXは、RFキャリア上に変調された情報を復元し、その情報をRXプロセッサ370に提供する。
【００３７】
コントローラ/プロセッサ375は、プログラムコードとデータとを記憶するメモリ376に関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ375からのIPパケットは、EPC160に提供されることがある。コントローラ/プロセッサ375はまた、ACKおよび/またはNACKプロトコルを使用してHARQ動作をサポートする誤り検出を担う。
【００３８】
図4Aおよび図4Bは、リソースブロック内のシンボルを示す第1の図400および第2の図450である。図4Aを参照すると、各サブフレームは複数のスロットを含み得、各スロットは複数のRBを含み得る。スロット内の各RBは、複数のシンボルを含み得、サブフレームに関連付けられた周波数帯域幅のサブセットに広がる。たとえば、LTEシステムでは、リソースブロックは、1スロットの持続時間(ノーマルサイクリックプレフィックスを使用する7シンボル期間)の間に12個の連続するサブキャリア/トーンを含み得る。図4Aは、第1のRBに関連付けられたシンボルのセットのうちの第1のシンボル410と、第2のRBに関連付けられたシンボルのセットのうちの第2のシンボル420と、第3のRBに関連付けられたシンボルのセットのうちの第3のシンボル430とを示す。第1のシンボル410はサブキャリア間隔fを有し得、第2のシンボル420はサブキャリア間隔2fを有し得、第3のシンボル430はサブキャリア間隔4fを有し得る。第2のシンボル420のためのシンボル持続時間は、第1のシンボル410のシンボル持続時間の半分である。第3のシンボル430のためのシンボル持続時間は、第1のシンボル410のためのシンボル持続時間の1/4である。図4Aに示すように、同じシンボル内に混合ヌメロロジーはない。しかしながら、異なるシンボルまたはRBは、異なるヌメロロジーを有し得る。
【００３９】
対照的に、図4Bは、第4のRBに関連付けられたシンボルのセットのうちの第4のシンボル460と、第5のRBに関連付けられたシンボルのセットのうちの第5のシンボル470と、第6のRBに関連付けられたシンボルのセット内の第6のシンボル480とを含む、異なるサブキャリア間隔をもつシンボルを示す。第4のシンボル460は、2つの異なるサブキャリア間隔fおよび2fを有するリソースブロックに関連付けられ得る。同様に、第5のシンボル470は、fサブキャリア間隔および2fサブキャリア間隔を有するリソースブロックに関連付けられ得る。第6のシンボル480は、3つの異なるサブキャリア間隔f、2f、および4fをもつリソースブロックに関連付けられ得る。同じヌメロロジーを有する同じリソースブロック内のトーンまたはサブキャリアは、互いに直交する。直交を維持するために、サブキャリア間隔およびシンボル持続時間は、反比例であり得る。しかしながら、異なるヌメロロジーをもつリソースブロックにわたるトーンまたはサブキャリアは、互いに直交ではないことがある。
【００４０】
ワイヤレス通信システムでは、UEおよび基地局は、ヌメロロジーのための周波数領域内の1つまたは複数のトーンあるいは1つまたは複数のRBに及ぶ、基準信号およびスクランブリングコードを指すことがある、シーケンスを利用し得る。すなわち、シーケンスは、RBインデックス、あるいは、シンボルインデックス、周波数サブキャリアインデックス、および/または特定のヌメロロジーを有するリソースのシンボルインデックスなど、任意の他のインデックスの関数であり得る。一例では、様々なインデックスが、DM-RS、CSI-RS、SRS、および/または測定基準信号(MRS)を生成するために使用され得る。別の例では、様々なインデックスが、送信前にデータをスクランブルするために使用されるスクランブリングコードを生成するために使用され得、スクランブリングコードは、受信機が送信機の間で区別することを可能にするために、物理レイヤにおいてデータの送信機を識別する。
【００４１】
各ヌメロロジーのためのシーケンスは、RBインデックス、シンボルインデックス、周波数サブキャリアインデックス、または特定のヌメロロジーのためのシンボルインデックスの関数であり得る。たとえば、fサブキャリア間隔、2fサブキャリア間隔、および4fサブキャリア間隔が提供される場合、サブキャリア間隔の各々は基準シーケンスを有し得る。周波数領域における混合ヌメロロジーをもつシンボルでは、サブキャリア間隔f0を使用し、ただし、f0はfに等しくなり得る、特定のサブキャリアロケーションまたはRBロケーションのためのシーケンスは、f0の一様なヌメロロジーを有するシンボルにおける対応するサブキャリアまたはRBロケーションにおける基準シーケンスによって決定され得る。以下の開示は、基準信号とスクランブリングコードとを含むシーケンスが、混合ヌメロロジーをもつシンボルのために、どのように生成され得るかについての詳細を提供する。概して、サブキャリア間隔は、たとえば、混合ヌメロロジーを可能にするために、互いの倍数であり得る。サブキャリア間隔が互いの倍数であるとき、あるヌメロロジーのサブキャリア間隔は、別のヌメロロジーのサブキャリア間隔とともに均等にインターリーブし得る。
【００４２】
図5は、インデックス決定の第1の例の図500を示す。図5は、異なるヌメロロジー(f、2f、4fなど)またはサブキャリア間隔のためのRBインデックス番号付けを示す。ヌメロロジーfは、帯域幅にわたって合計16個のRBを含み得、RBインデックスは、0から15までに及び得る。ヌメロロジー2fは、帯域幅にわたって合計8つのRBを含み得、RBインデックスは、0から7までに及び得る。ヌメロロジー4fは、帯域幅にわたって合計4つのRBを含み得、RBインデックスは、0から3までに及び得る。図5は、第1のシンボル510と、第2のシンボル520と、第3のシンボル530とを示し、それらのシンボルの各々は、それぞれのRBインデックスのそれぞれのRBに関連付けられたシンボルに対応する。簡単のために、各それぞれのRBのための追加のシンボルは図示されていない。一態様では、RBの各々は、ヌメロロジーにかかわらず、複数のサブキャリア、たとえば、12個のサブキャリアを含み得る。
【００４３】
いくつかの構成では、図5の第4の列において与えられたように、混合ヌメロロジーが利用され得る。たとえば、シンボルのセット540は、2つのシンボル、または別の数のシンボルを有し得る。シンボルのセット540に関連付けられたRBの大部分は、RBのうちの2つがfヌメロロジーを有し得ることを除いて、2fヌメロロジーを有し得る。2fヌメロロジーをもつRBでは、シンボルのセット540に関連付けられた各RBのためのRBインデックスは、それにおいてすべてのRBが2fヌメロロジーを有する基準時間周波数グリッド(たとえば、第2のシンボル520の列などの列のペアなど、基準時間周波数グリッド)における各対応するRBのためのそれぞれのRBインデックスに基づき得る。一態様では、対応するRBは、同一または同様の開始周波数サブキャリアおよび停止周波数サブキャリアをもつRBであり得る。同様に、fヌメロロジーをもつRBでは、2つのRBの各々のためのRBインデックスは、それにおいてRBのすべてがfヌメロロジーを有する基準時間周波数グリッドにおける各対応するRBのためのそれぞれのRBインデックスに基づき得る。したがって、2fヌメロロジーをもつRBのためのRBインデックスは、0、1、3、4、5、6、7であり、fヌメロロジーをもつRBのためのRBインデックスは、4および5である。
【００４４】
図6は、インデックス決定の第2の例の図600を示す。図5のように、図6は、異なるヌメロロジー(f、2f、4fなど)のためのRBインデックス番号付けを示す。ヌメロロジーfでは、合計16個のRBが帯域幅にわたって割り振られ得、RBインデックスは、0から15までに及び得る。ヌメロロジー2fでは、合計8個のRBが帯域幅にわたって割り振られ得、RBインデックスは、0から7までに及び得る。ヌメロロジー4fでは、合計4個のRBが帯域幅にわたって割り振られ得、RBインデックスは、0から3までに及び得る。図6は、第1のシンボル610と、第2のシンボル620と、第3のシンボル630とを示し、それらのシンボルの各々は、それぞれのRBインデックスに関連付けられた各それぞれのRB内のシンボルに対応する。簡単のために、各それぞれのRBのための追加のシンボルは図示されていない。一態様では、RBの各々は、ヌメロロジーにかかわらず、複数のサブキャリア、たとえば、12個のサブキャリアを含み得る。
【００４５】
いくつかの構成では、図6の第4の列において与えられたように、混合ヌメロロジーが利用され得る。たとえば、シンボルのセット640は、2つのシンボル、または別の数のシンボルを有し得る。シンボルのセット640に関連付けられたRBは、f、2f、および4fヌメロロジー(および、任意の他の数のヌメロロジー)を有し得る。2fヌメロロジーをもつRBでは、シンボルのセット640に関連付けられた各RBのためのRBインデックスは、それにおいてすべてのRBが2fヌメロロジー(または、サブキャリア間隔)を有する基準時間周波数グリッドにおける各対応するRBのためのそれぞれのRBインデックスに基づき得る。一態様では、対応するRBは、同一または同様の開始周波数サブキャリアおよび停止周波数サブキャリアをもつRBであり得る。図6を参照すると、2fヌメロロジーをもつRBのためのRBインデックスは、0および1である。同様に、fヌメロロジーをもつRBでは、4つのRBの各々のためのRBインデックスは、それにおいてRBのすべてがfヌメロロジーを有する基準時間周波数グリッドにおける各対応するRBのためのそれぞれのRBインデックスに基づき得る。この例では、fヌメロロジーをもつRBのためのRBインデックスは、4、5、6、および7である。4fヌメロロジーをもつRBでは、2つのRBの各々のためのRBインデックスは、それにおいてRBのすべてが4fヌメロロジーを有する基準時間周波数グリッドにおける各対応するRBのためのそれぞれのRBインデックスに基づき得る。この例では、4fヌメロロジーをもつRBのためのRBインデックスは、2および3である。シンボル610、620、630、および640は、異なるシンボルのための異なるヌメロロジーを各々示す。
【００４６】
図7は、インデックス決定の第3の例の図700を示す。図7は、異なるヌメロロジー(f、2f、4fなど)のためのRBインデックス番号付けを示す。ヌメロロジーfでは、合計16個のRBが帯域幅にわたって割り振られ得、RBインデックスは、0から15までに及び得る。ヌメロロジー2fでは、合計8個のRBが割り振られ得、RBインデックスは、0から7までに及び得る。ヌメロロジー4fでは、合計4個のRBが割り振られ得、RBインデックスは、0から3までに及び得る。図7は、第1のシンボル710と、第2のシンボル720と、第3のシンボル730とを示し、それらのシンボルの各々は、それぞれのRBインデックスに関連付けられた各それぞれのRB内のシンボルに対応する。簡単のために、各それぞれのRBのための追加のシンボルは図示されていない。一態様では、RBの各々は、ヌメロロジーにかかわらず、12個のサブキャリアなど、複数のサブキャリアを含み得る。
【００４７】
いくつかの構成では、図7の第4の列において与えられたように、混合ヌメロロジーが利用され得る。たとえば、シンボルのセット740は、2つのシンボル、または別の数のシンボルを有し得る。シンボルのセット740に関連付けられたRBの大部分は、RBのうちの2つがfヌメロロジーを有し得ることを除いて、2fヌメロロジーを有し得る。fヌメロロジーをもつRBでは、2つのRBの各々のためのRBインデックスは、それにおいてRBのすべてがfヌメロロジーを有する対応するサブフレームにおける各対応するRBのためのそれぞれのRBインデックスに基づき得る。したがって、fヌメロロジーをもつRBのためのRBインデックスは、4および5である。
【００４８】
しかしながら、図5におけるRBとは異なり、図7の第4の列における2fヌメロロジーをもつRBのうちのいくつかは、それにおいてヌメロロジーのすべてが2fである基準時間周波数グリッドの第2の列における対応するRBとすべてが厳密に一致するとは限らないことがある。インデックス0および1をもつRBは、第2の列におけるものと一致し(たとえば、同じ開始周波数サブキャリアインデックスと終了周波数サブキャリアインデックスとを有し)得る。しかしながら、残りのRBは、周波数オフセットのために、厳密に一致するとは限らないことがある。周波数オフセットは、混合ヌメロロジーが第4の列において使用されるとき、RBの中間の異なる数のガードトーン、ガードバンド、またはガードバンドサイズの結果であり得る。RBが周波数において厳密に一致するとは限らないとき、RBインデックスを決定するために、最も近い対応するRBが決定され得る。
【００４９】
例として、RB750のためのRBインデックスが決定されることになる。第1の構成では、RB750への対応するRBは、RB760であり得、RB760は、RB750と重複するが、RB750の開始周波数未満である開始周波数を有する。この構成では、RB750のためのRBインデックスは3である。第2の構成では、RB750への対応するRBは、RB770であり得、RB770は、RB750と重複するが、RB750の開始周波数よりも大きい開始周波数を有する。この構成では、RB750のためのRBインデックスは4である。図7に示した例では、第1の構成が使用された。その態様では、RB750と周波数において重複するRBが、最も近い対応するRBのための候補と見なされ得る。異なるヌメロロジーを使用することによって、時間および周波数において異なるサイズのリソースブロックが可能になり得る。時間および周波数において異なるサイズのリソースブロックは、送信されるべき特定のデータに最も適した時間/周波数リソースの選択を可能にし得る。
【００５０】
図8は、インデックス決定の第4の例の図800を示す。図8は、異なるヌメロロジー(f、2f、4fなど)のためのRBインデックス番号付けを示す。ヌメロロジーfでは、合計16個のRBが帯域幅にわたって割り振られ得、RBインデックスは、0から15までに及び得る。ヌメロロジー2fでは、合計8個のRBが割り振られ得、RBインデックスは、0から7までに及び得る。ヌメロロジー4fでは、合計4個のRBが割り振られ得、RBインデックスは、0から3までに及び得る。図8は、第1のシンボル810と、第2のシンボル820と、第3のシンボル830とを示し、それらのシンボルの各々は、それぞれのRBインデックスに関連付けられた各それぞれのRB内のシンボルに対応する。簡単のために、各それぞれのRBのための追加のシンボルは図示されていない。一態様では、RBの各々は、ヌメロロジーにかかわらず、複数のサブキャリア、たとえば、12個のサブキャリアを含み得る。
【００５１】
いくつかの構成では、図8の第4の列において与えられたように、混合ヌメロロジーが利用され得る。たとえば、シンボルのセット840は、2つのシンボル、または別の数のシンボルを有し得る。シンボルのセット840に関連付けられたRBの大部分は、RBのうちの2つがfヌメロロジーを有し得ることを除いて、2fヌメロロジーを有し得る。第4の列におけるRBのためのRBインデックスを決定するために、デバイスは、第4の列におけるRBのサブキャリア間隔以下であるサブキャリア間隔を有する第2のヌメロロジーを有する基準時間周波数グリッドにおける1つまたは複数の対応するRBを決定し得る。一態様では、第2のヌメロロジーは、最小の可能なサブキャリア間隔を有し得る。たとえば、2fヌメロロジーを有するRB850のためのRBインデックスを決定するために、それにおいてすべてのRBがfヌメロロジーを有する基準時間周波数グリッドが使用され得る。基準時間周波数グリッドは、図8の第1の列に示すようなRBを有し得、デバイスは、RB850と重複する基準時間周波数グリッドにおける1つまたは複数の対応するRB860を決定し、1つまたは複数の対応するRB860のうちの1つに関連付けられたRBインデックスを選択し得る。この場合、デバイスは、RBインデックス0または1を選択し得る。デバイスは、最低周波数RB(RBインデックス0)に関連付けられたRBインデックスを選択するか、または最高周波数RB(RBインデックス1)に関連付けられたRBインデックスを選択し得る。したがって、図8の第4の列に示すように、混合ヌメロロジーが単一のUEによって使用され得る。混合ヌメロロジーを使用するUEは、同じ期間中に複数のヌメロロジーを処理し得る。混合ヌメロロジーの場合、周波数(帯域幅)が別個の周波数部分または帯域幅部分(BWP)に分割され得る。BWPのうちの1つまたは複数は、異なるヌメロロジーを有し得る。
【００５２】
図9は、インデックス決定の第5の例の図900を示す。図9は、異なるヌメロロジー(f、2f、4fなど)のためのRBインデックス番号付けを示す。ヌメロロジーfでは、合計16個のRBが帯域幅にわたって割り振られ得、RBインデックスは、0から15までに及び得る。ヌメロロジー2fでは、合計8個のRBが割り振られ得、RBインデックスは、0から7までに及び得る。ヌメロロジー4fでは、合計4個のRBが割り振られ得、RBインデックスは、0から3までに及び得る。図9は、第1のシンボル910と、第2のシンボル920と、第3のシンボル930とを示し、それらのシンボルの各々は、それぞれのRBインデックスに関連付けられた各それぞれのRB内のシンボルに対応する。簡単のために、各それぞれのRBのための追加のシンボルは図示されていない。一態様では、RBの各々は、ヌメロロジーにかかわらず、複数のサブキャリア、たとえば、12個のサブキャリアを含み得る。
【００５３】
一態様では、あいまいさを回避するために、具体性のためにエアインターフェース仕様において、方式が指定され得る。いずれかの手法が、通信システムのためにエアインターフェースにおいて選択され得る。一態様では、混合ヌメロロジーが使用され得る。混合ヌメロロジーは、異なる能力を有し、異なるヌメロロジーをサポートし得る、同じシステム帯域幅における異なるUEを提供し得る。いくつかの通信システムでは、帯域幅が帯域幅部分(BWP)に分割され得る。UEは、BWPのうちの1つ(または、あるサブセット)のみを受信するための能力を有し得る。異なるBWPは、異なるヌメロロジーを有し得る。ヌメロロジーを(たとえば、スロット内で)より動的に混合することが、いくつかの態様において使用され得る。一態様では、基準時間周波数グリッドは、本明細書で説明する複数のオプションのうちの1つまたは複数を使用して決定され得るが、採用される方式は、gNBとUEの両方が何の手順を使用するべきかの共通理解を有するように、明確に指定されるべきである。
【００５４】
いくつかの構成では、図9の第4の列において与えられたように、混合ヌメロロジーが利用され得る。たとえば、シンボルのセット940は、2つのシンボル、または別の数のシンボルを有し得る。シンボルのセット940に関連付けられたRBの大部分は、RBのうちの2つがfヌメロロジーを有し得ることを除いて、2fヌメロロジーを有し得る。RBインデックスが、割り当てられたRBを基準時間周波数グリッドにおける対応するRBにマッチングすることによって決定される、前の例とは異なり、図9におけるRBインデックスは、サブフレーム内の他のRBの中のRBの位置によって決定され得る。すなわち、最低開始周波数サブキャリアに対応するRBは、RBインデックス0を有し得る。2番目に低い開始周波数サブキャリアをもつRBは、RBインデックス1を有し得る。図9に示すように、RBインデックス0〜8は、計数的に決定され得る。一例では、RBインデックスを決定するために、デバイスは、帯域幅内のすべての他のRBのロケーション、または、少なくとも周波数において割り当てられたRBに先行するRBのロケーションの知識を取得し得る。これは、デバイスが、割り当てられたRBについての情報のみを用いて、デバイスに割り当てられたRBのRBインデックスを決定し得、デバイスに割り当てられていない他のRBの情報を必要としない、前の例とは異なる。したがって、図8の例は、割り当てられたRBについての情報のみをもつデバイスの場合、図9の例よりも好ましくなり得、その理由は、デバイスが、デバイスに割り当てられていない他のRBの情報を必要としないからであるが、図9の例は、シンボルセットにおいてすべてのRBを割り当てられるデバイスのために使用され得る。
【００５５】
一態様では、RBインデックスを決定するために図5〜図9において説明した方法、技法、およびプロトコルはまた、シンボルインデックス、周波数サブキャリアインデックス、および/またはシンボルインデックスを決定するためにも適用され得る。
【００５６】
図10は、混合ヌメロロジーをもつシーケンス生成の第1の方法の図1000を示す。図1000は、基地局1010とUE1020との間の通信を示す。図1000に示す例では、基地局1010とUE1020との間の通信は、ダウンリンク(DL)通信である。図10を参照すると、基地局1010は、ダウンリンク送信のために割り振られたRBのセットに関連付けられたヌメロロジーを決定し得る。たとえば、基地局1010は、いくつかのリソースブロックが2fヌメロロジーを有し、他のリソースブロックがfヌメロロジーを有する、図5の第4の列に(または、任意の他の図に)示したようなヌメロロジーをもつリソースブロックのセットを割り振り得る。他のヌメロロジーの組合せも使用され得る。ヌメロロジーは、RBに関連付けられたサブキャリア間隔および/またはシンボル持続時間を示し得る。一態様では、シンボル持続時間は、1/サブキャリア間隔であり得る。
【００５７】
一態様では、基地局1010は、UE1020に送信するための情報を有し得る。情報は、1つまたは複数の基準信号(たとえば、DM-RS、CSI-RS、またはMRS)、および/またはスクランブリングコードによってスクランブルされたデータであり得る。基準信号およびスクランブリングコードは、シーケンス(または、基準シーケンス)に基づき得、シーケンス(または、基準シーケンス)は、RBインデックス、シンボルインデックス、周波数サブキャリアインデックス、および/またはそれにおいて基準信号もしくはデータが送信されることになるDLリソースのシンボルインデックスの関数であり得る。
【００５８】
基地局1010は、DL送信のためにRBをそれ自体に割り振り得る。基地局1010は、図5〜図9に関して説明した方法、技法、またはプロトコルのうちの1つを使用して、RBのためのRBインデックスを決定し得る。一構成では、図5を参照すると、基地局1010は、図5の第4の列によるヌメロロジーをもつリソースを割り振るように決定し得る。基地局は、RB550の第1のRBロケーションを、それにおいてRBのすべてが2fヌメロロジーを有する基準時間周波数グリッドにおける対応するRB560のRBロケーションとマッチングすることによって、RB550のRBインデックスを決定し得る。この例では、RB550のRBインデックスは4である。別の構成では、図7を参照すると、RBが、基準時間周波数グリッドにおける対応するRBと厳密に一致するとは限らない場合、基地局1010は、最も近い対応するRB(たとえば、RB760またはRB770)を発見することによって、RB750のRBインデックスを決定し得る。一態様では、RBインデックスは、図5〜図9のうちのいずれかの第4の列に従って割り当てられ得る。
【００５９】
別の構成では、図8を参照すると、基地局1010は、図8の第4の列によるヌメロロジーをもつリソースを割り振るように決定し得る。基地局は、RB850の第1のRBロケーションを、それにおいてRBのすべてが、RB860のサブキャリア間隔以下であるサブキャリア間隔をもつヌメロロジーを有する、基準時間周波数グリッドにおける1つまたは複数の対応するRB860のRBロケーションとマッチングすることによって、RB850のRBインデックスを決定し得る。この例では、基地局1010は、RBインデックス0または1を選択し得る。基地局1010は、最低周波数RBのRBインデックスを選定し、RBインデックス0を選択し得る。
【００６０】
別の構成では、シーケンスはまた、シンボルインデックス、周波数サブキャリアインデックス、および/またはシンボルインデックスに基づき得る。たとえば、基準信号またはデータが、シンボルおよび周波数トーンに関連付けられた特定のDLリソース(たとえば、リソース要素)において送信されることになるとき、基地局1010は、シンボルインデックス、周波数サブキャリアインデックス、および/またはリソースに関連付けられたシンボルインデックスを決定し得る。一態様では、基地局1010は、リソースのシンボルロケーションを、それにおいてすべてのシンボルが2fヌメロロジーを有する基準時間周波数グリッドにおける対応するシンボルの別のシンボルロケーションとマッチングすることによって、リソースのシンボルインデックスを決定し得る。別の態様では、リソースのシンボルロケーションは、(たとえば、異なるサイクリックプレフィックス値、または異なる数のサイクリックプレフィックスから生じる)タイミングオフセットのために、基準時間周波数グリッドのシンボルロケーションと完全に一致するとは限らないことがある。この事例では、基地局1010は、最も近い対応するシンボルロケーションを選択し得る。最も近い対応するシンボルロケーションは、リソースに関連付けられたシンボルと時間的に重複するが、リソースに関連付けられたシンボルの第1の開始シンボルに先行する第1の開始シンボルを有する、対応するシンボルのシンボルロケーションであり得る。代替的に、最も近い対応するシンボルロケーションは、リソースに関連付けられたシンボルの第1の開始シンボルに後続する第1の開始シンボルを有する、対応するシンボルのシンボルロケーションであり得る。
【００６１】
図10に示すように、UE1020は、基地局1020との通信、たとえば、DL通信のための、割り当てられたリソースの指示を受信するように構成され得る。UE1020は、割り当てられたリソースに関連付けられたサブキャリア間隔またはシンボル持続時間のうちの少なくとも1つを備える、ヌメロロジーを決定し、ヌメロロジーに基づいて、割り当てられたリソースのための1つまたは複数のインデックスを決定し得る。UE1020は、1つまたは複数のインデックスに基づいて、シーケンスを生成し、シーケンスに基づいて、基地局1010と通信し得る。
【００６２】
図10に示すように、指示はダウンリンク割当てを含み得る。基地局1010と通信することは、シーケンスに基づいて、チャネル推定を実行すること、またはスクランブルされたデータを復号することのうちの少なくとも1つを含み得る。
【００６３】
一態様では、ヌメロロジーを示す情報が基地局1010から受信され得る。情報は、MIB、SIB、またはRRCシグナリングにおいて受信され得る。
【００６４】
一態様では、ヌメロロジーを決定することは、第1の割り当てられたリソースに関連付けられた第1のヌメロロジーを決定すること、および、第2の割り当てられたリソースに関連付けられた第2のヌメロロジーを決定することを含み得、第1のヌメロロジーおよび第2のヌメロロジーが異なる。
【００６５】
一態様では、ヌメロロジーを決定することは、割り当てられたリソースのための複数の基準ヌメロロジーを決定することを含み得、1つまたは複数のインデックスを決定することは、割り当てられたリソースの部分を、複数のヌメロロジーにおける対応する基準ヌメロロジーと比較することを含む。
【００６６】
一態様では、割り当てられたリソースのための1つまたは複数のインデックスを決定することは、割り当てられたリソースに関連付けられた第1のRBの第1のRBロケーションを、対応する基準ヌメロロジーの第2のRBロケーションとマッチングすることによって、RBインデックスを決定することであって、RBインデックスが、対応する基準ヌメロロジー内の第2のRBロケーションに基づく、決定すること、割り当てられたリソースに関連付けられた第1のシンボルの第1のシンボルロケーションを、対応する基準ヌメロロジーにおける対応するシンボルの第2のシンボルロケーションとマッチングすることによって、シンボルインデックスを決定することであって、シンボルインデックスが、対応する基準ヌメロロジー内の第2のシンボルロケーションに基づく、決定すること、または、割り当てられたリソースに関連付けられた第1の周波数サブキャリアロケーションを、対応する基準ヌメロロジーにおける第2の周波数サブキャリアロケーションとマッチングすることによって、周波数サブキャリアインデックスを決定することであって、周波数サブキャリアインデックスが、対応する基準ヌメロロジー内の第2の周波数サブキャリアロケーションに基づく、決定することのうちの1つまたは複数を含み得る。
【００６７】
一態様では、ヌメロロジーを決定することは、割り当てられたリソースにおける複数のULリソースまたはDLリソースの各々に関連付けられた、サブキャリア間隔およびシンボル持続時間を決定することであって、複数のULリソースまたはDLリソースが、少なくとも2つの異なるサブキャリア間隔またはシンボル持続時間を備える、決定すること、ならびに、複数のULの各ULリソースまたは各DLリソースのためのインデックスを決定することを含み得る。
【００６８】
図11は、最も近い対応するシンボルロケーションを選択するための方法の図1100を示す。たとえば、2fヌメロロジーを有するシンボル1110内のリソースのためのシンボルインデックスを決定するために、デバイスは、シンボル1110を、2fヌメロロジーをもつシンボルのみを含む基準時間周波数グリッドにおける対応するシンボルとマッチングすることを試み得る。第3の行におけるRBインデックス0をもつ第1のシンボルと厳密に一致する、RBインデックス0をもつ第1の行の第1のシンボルとは異なり、シンボル1110は、第2の行におけるシンボル1120、1140と完全に一致するとは限らない。デバイスは、シンボル1120またはシンボル1140のいずれかであり得る、最も近い対応するシンボルを決定し得る。デバイスは、最も近い対応するシンボルが、シンボル1110と時間的に重複するが、シンボル1110の第1の開始シンボルに先行する第1の開始シンボルを有する、シンボルである場合、シンボル1120を選択し得る。代替的に、デバイスは、最も近い対応するシンボルが、シンボル1110と時間的に重複するが、シンボル1110の第1の開始シンボルに後続する第1の開始シンボルを有する、シンボルである場合、シンボル1140を選択し得る。
【００６９】
別の態様では、基地局1010は、シンボルインデックスを決定するために、最小サブキャリア間隔をもつヌメロロジーを利用することを決定し得る。基地局1010は、リソースのシンボルロケーションを、それにおいてすべてのシンボルが、リソースに関連付けられたシンボルの数値以下であるヌメロロジーを有する、基準時間周波数グリッドにおける1つまたは複数の対応するシンボルのシンボルロケーションとマッチングすることによって、リソースのシンボルロケーションを決定し得る。いくつかの事例では、リソースのシンボルロケーションは、異なるヌメロロジーのために、基準時間周波数グリッドのシンボルロケーションと完全に一致するとは限らないことがある。最も近い対応するシンボルロケーションは、リソースに関連付けられたシンボルと時間的に重複するが、他の対応するシンボル候補の開始シンボルの中の最も早い開始シンボルを有する、対応するシンボルのシンボルロケーションであり得る。代替的に、最も近い対応するシンボルロケーションは、1つまたは複数の対応するシンボルの開始シンボルの中の最後である第1の開始シンボルを有する、対応するシンボルのシンボルロケーションであり得る。
【００７０】
図12は、シンボルインデックスを選択するための方法の図1200を示す。たとえば、fヌメロロジーを有するシンボル1210内のリソースのためのシンボルインデックスを決定するために、デバイスは、シンボル1220、1240が、2fヌメロロジーをもつ基準時間周波数グリッドにおける対応するシンボルであると決定し得る。この例では、シンボル1210のためのシンボルインデックスは、0または1のいずれかであり得る。デバイスが最も早い開始シンボルをもつ対応するRBを選定する場合、デバイスはシンボルインデックス0を選択し得るか、または、デバイスが最も遅い開始シンボルをもつ対応するRBを選定する場合、デバイスはシンボルインデックス1を選択し得る。シンボルインデックスオプションはまた、第2の行における対応するシンボルのセットに基づいて、図12の第1の行における他のシンボルについても提供される。
【００７１】
別の構成では、図9を参照すると、基地局1010は、図9の第4の列によるヌメロロジーをもつリソースを割り振るように決定し得る。上記で説明したように、いくつかの構成では、図9の第4の列において与えられたように、混合ヌメロロジーが利用され得る。たとえば、シンボルのセット940は、2つのシンボル、または別の数のシンボルを有し得る。シンボルのセット940に関連付けられたRBの大部分は、RBのうちの2つがfヌメロロジーを有し得ることを除いて、2fヌメロロジーを有し得る。図9に示すように、RBインデックス0〜8は、計数的に決定され得る。
【００７２】
再び図10を参照すると、基地局1010は、リソースの周波数サブキャリアロケーションを、2fヌメロロジーを有する基準RBにおける対応する周波数サブキャリアの周波数サブキャリアロケーションとマッチングすることによって、リソースの周波数サブキャリアインデックスを決定し得る。基地局1010は、リソースのシンボルロケーションを、2fヌメロロジーを有する基準シンボルにおける対応するシンボルのシンボルロケーションとマッチングすることによって、リソースのシンボルインデックスを決定し得る。
【００７３】
基地局1010は、DL許可1030においてUE1020に割り振られたDLリソースを示し得る。DL許可1030は、割り当てられたリソースの指示であり得る。DL許可1030は、UE1020へのブロードキャストまたはユニキャストを介して送信され得る。一態様では、DL許可1030は、DLリソースのためのリソース割当てと、DLリソースに関連付けられたヌメロロジーとを示し得る。たとえば、DL許可は、時間/周波数リソースと、時間周波数リソースを使用するRBと、ヌメロロジー(たとえば、RBによって使用される時間/周波数リソース)とを伝える、一連のビットを含み得る。
【００７４】
RBインデックス、シンボルインデックス、周波数サブキャリアインデックス、および/またはDLリソースに関連付けられたシンボルインデックスのうちの少なくとも1つを決定した後、基地局1010は、インデックスのうちの1つまたは複数に基づいて、シーケンスを生成し得る。シーケンスは、RBインデックス、シンボルインデックス、周波数サブキャリアインデックス、および/またはDLリソースに関連付けられたシンボルインデックスのうちの1つまたは複数を伝えるために使用される、一連のビットであり得る。基地局1010は、生成されたシーケンスに基づいて、UE1020に信号1040を送信し得る。一構成では、シーケンスは、基準信号(たとえば、DM-RS、CSI-RS、またはMRS)であり得、シーケンスは、信号1040において送信され得る。別の構成では、シーケンスは、基地局1010を識別するスクランブリングコードであり得る。基地局が、送信のためのデータを有するとき、基地局1010は、変調シンボル上にデータを変調し、スクランブリングコードを使用して、変調されたデータをスクランブルし得る。次いで、スクランブルおよび変調されたデータが、信号1040において送信され得る。
【００７５】
UE1020は、DLリソースのためのリソース割当てを含むDL許可1030を受信し得る。UE1020は、基地局1010に関して説明したものと同様の方法で、RBインデックス、シンボルインデックス、周波数サブキャリアインデックス、および/またはDLリソースに関連付けられたシンボルインデックスを決定し得る。たとえば、DL許可は、時間/周波数リソースと、時間周波数リソースを使用するRBと、ヌメロロジー(たとえば、RBによって使用される時間/周波数リソース)とを伝える、一連のビットを含み得る。決定されたインデックスのうちの1つまたは複数に基づいて、UE1020は、基地局1010が信号1040に関連付けられたシーケンスを生成した方法に関して説明したような方法、プロトコル、および技法を使用して、シーケンスを生成し得る。UE1020が信号1040を受信するとき、UE1020は、シーケンスを利用し得る。一構成では、信号1040が基準信号を含む場合、UE1020は、受信された信号1040と生成されたシーケンスとに基づいて、チャネル推定を実行し得る。別の構成では、信号1040が、スクランブリングコードに基づいてスクランブルされたデータを含む場合、UE1020は、シーケンスを使用して、スクランブリングコードを生成し、生成されたスクランブリングコードに基づいて、信号1040におけるデータを復号し得る。
【００７６】
図13は、混合ヌメロロジーを伴うシーケンス生成の第2の方法の図1300を示す。図1300は、基地局1310とUE1320との間の通信を示す。図1300に示す例では、基地局1310とUE1320との間の通信は、アップリンク(UL)通信である。図13を参照すると、基地局1310は、アップリンク送信のために割り振られたRBのセットに関連付けられたヌメロロジーを決定し得る。たとえば、基地局1310は、いくつかのリソースブロックが2fヌメロロジーを有し、他のリソースブロックがfヌメロロジーを有する、図5の第4の列に示したようなリソースブロックのセットのためのヌメロロジーを決定し得る。ヌメロロジーは、RBに関連付けられたサブキャリア間隔および/またはシンボル持続時間を示し得る。
【００７７】
基地局1310は、ULリソース(たとえば、図5の第4の列に示したようなRBのうちの1つ)をUE1320に割り振り、UL許可1330においてUE1320へのリソース割当てを示し得る。UL許可1330は、割り当てられたリソースの指示であり得る。UL許可1330は、UE1320へのブロードキャストまたはユニキャストを介して送信され得る。一態様では、UL許可1330は、ULリソースのためのリソース割当てと、ULリソースに関連付けられたヌメロロジーとを示し得る。
【００７８】
一態様では、UE1320は、基地局1310に送信するための情報を有し得る。情報は、基準信号(たとえば、DM-RS、SRS、またはMRS)、および/またはスクランブリングコードによってスクランブルされたデータであり得る。基準信号およびスクランブリングコードは、シーケンスに基づき得、シーケンスは、RBインデックス、シンボルインデックス、周波数サブキャリアインデックス、および/またはそれにおいて基準信号もしくはデータが送信されることになるULリソースのシンボルインデックスの関数であり得る。
【００７９】
UE1320は、図5〜図9に関して説明した方法、技法、またはプロトコルのうちの1つを使用して、ULリソースのRBインデックスを決定し得る。一構成では、図5を参照すると、UE1320は、図5の第4の列において与えられたリソース割振りを受信し、リソースのRBインデックスを決定し得る。たとえば、UE1320がRB550を割り振られる場合、UE1320は、RB550の第1のRBロケーションを、それにおいてRBのすべてが2fヌメロロジーを有する基準時間周波数グリッドにおける対応するRB560のRBロケーションとマッチングすることによって、RB550のRBインデックスを決定し得る。この例では、RB550のRBインデックスは4である。別の構成では、図7を参照すると、RBが、基準時間周波数グリッドにおける対応するRBと厳密に一致するとは限らない場合、UE1320は、最も近い対応するRB(たとえば、RB760またはRB770)を発見することによって、RB750のRBインデックスを決定し得る。
【００８０】
別の構成では、図8を参照すると、UE1320は、図8の第4の列からリソース割振りを受信し得る。たとえば、RB850を割り振られる場合、UE1320は、RB850の第1のRBロケーションを、それにおいてRBのすべてが、RB860のサブキャリア間隔以下であるサブキャリア間隔をもつヌメロロジーを有する、基準時間周波数グリッドにおける1つまたは複数の対応するRB860のRBロケーションとマッチングすることによって、RB850のRBインデックスを決定し得る。この例では、UE1320は、RBインデックス0または1を選択し得る。UE1320は、最低周波数RBのRBインデックスを選定し、RBインデックス0を選択し得る。
【００８１】
別の構成では、シーケンスは、シンボルインデックス、周波数サブキャリアインデックス、および/またはシンボルインデックスに基づき得る。たとえば、基準信号またはデータは、シンボルおよび周波数サブキャリアに関連付けられた特定のULリソース(たとえば、リソース要素)において送信されることになり、UE1320は、シンボルインデックス、周波数サブキャリアインデックス、および/またはリソースに関連付けられたシンボルインデックスを決定し得る。一態様では、UE1320は、リソースのシンボルロケーションを、それにおいてすべてのシンボルが2fヌメロロジーを有する基準時間周波数グリッドにおける対応するシンボルの別のシンボルロケーションとマッチングすることによって、リソースのシンボルロケーションを決定し得る。別の態様では、リソースのシンボルロケーションは、(たとえば、異なるサイクリックプレフィックス値、または異なる数のサイクリックプレフィックスから生じる)タイミングオフセットのために、基準時間周波数グリッドのシンボルロケーションと完全に一致するとは限らないことがある。この事例では、UE1320は、最も近い対応するシンボルロケーションを選択し得る。最も近い対応するシンボルロケーションは、リソースに関連付けられたシンボルと時間的に重複するが、リソースに関連付けられたシンボルの第1の開始シンボルに先行する第1の開始シンボルを有する、対応するシンボルのシンボルロケーションであり得る。代替的に、最も近い対応するシンボルロケーションは、リソースに関連付けられたシンボルの第1の開始シンボルに後続する第1の開始シンボルを有する、対応するシンボルのシンボルロケーションであり得る。前に説明したように、図11および対応する開示は、最も近い対応するシンボルロケーションを選択するための手順について説明している。
【００８２】
別の態様では、UE1320は、リソースのシンボルロケーションを、それにおいてすべてのシンボルが、リソースに関連付けられたシンボルの数値以下であるヌメロロジーを有する、基準時間周波数グリッドにおける1つまたは複数の対応するシンボルの別のシンボルロケーションとマッチングすることによって、リソースのシンボルロケーションを決定し得る。いくつかの事例では、リソースのシンボルロケーションは、異なるヌメロロジーのために、基準時間周波数グリッドのシンボルロケーションと完全に一致するとは限らないことがある。最も近い対応するシンボルロケーションは、リソースに関連付けられたシンボルと時間的に重複するが、他の対応するシンボル候補の開始シンボルの中の最も早い開始シンボルを有する、対応するシンボルのシンボルロケーションであり得る。代替的に、最も近い対応するシンボルロケーションは、1つまたは複数の対応するシンボルの開始シンボルの中の最後である第1の開始シンボルを有する、対応するシンボルのシンボルロケーションであり得る。前に説明したように、図12および対応する開示は、シンボルインデックスを選択するための方法について説明している。
【００８３】
別の構成では、図9を参照すると、UE1320は、図9の第4の列による混合ヌメロロジーをもつリソースのためのインデックスを計算するように決定し得る。
【００８４】
図13を参照すると、UE1320は、リソースの周波数サブキャリアロケーションを、2fヌメロロジーを有する基準RBにおける対応する周波数サブキャリアの周波数サブキャリアロケーションとマッチングすることによって、リソースの周波数サブキャリアインデックスを決定し得る。UE1320は、リソースのシンボルロケーションを、2fヌメロロジーを有する基準シンボルにおける対応するシンボルのシンボルロケーションとマッチングすることによって、リソースのシンボルインデックスを決定し得る。
【００８５】
RBインデックス、シンボルインデックス、周波数サブキャリアインデックス、および/またはULリソースに関連付けられたシンボルインデックスのうちの少なくとも1つを決定した後、UE1320は、インデックスのうちの1つまたは複数に基づいて、シーケンスを生成し得る。たとえば、シーケンスは、RBインデックス、シンボルインデックス、周波数サブキャリアインデックス、および/またはULリソースに関連付けられたシンボルインデックスのうちの1つまたは複数を伝える、一連のビットであり得る。UE1320は、生成されたシーケンスに基づいて、基地局1310に信号1340を送信し得る。一構成では、シーケンスは、基準信号(たとえば、DM-RS、SRS、またはMRS)であり得、シーケンスは、信号1340において送信され得る。別の構成では、シーケンスは、UE1320を識別するスクランブリングコードであり得る。UE1320が送信のためのデータを有するとき、UE1320は、変調シンボル上にデータを変調し、スクランブリングコードを使用して、変調されたデータをスクランブルし得る。次いで、スクランブルおよび変調されたデータが、信号1340において送信され得る。
【００８６】
図13を参照すると、基地局1310は、RBインデックス、シンボルインデックス、周波数サブキャリアインデックス、および/またはUE1320に割り当てられたULリソースに関連付けられたシンボルインデックスを決定し得る。決定されたインデックスのうちの1つまたは複数に基づいて、基地局1310は、UE1320(または、基地局1010)が信号1340に関連付けられたシーケンスを生成した方法に関して説明したような方法、プロトコル、および技法を使用して、シーケンスを生成し得る。基地局1310が信号1340を受信するとき、基地局1310は、シーケンスを利用し得る。一構成では、信号1340が基準信号を含む場合、基地局1310は、受信された信号1340と生成されたシーケンスとに基づいて、チャネル推定を実行し得る。別の構成では、信号1340が、スクランブリングコードに基づいてスクランブルされたデータを含む場合、基地局1310は、シーケンスを使用して、スクランブリングコードを生成し、生成されたスクランブリングコードに基づいて、信号1340におけるデータを復号し得る。スクランブリングコードは、シーケンス(または、基準シーケンス)に基づき得、シーケンス(または、基準シーケンス)は、RBインデックス、シンボルインデックス、周波数サブキャリアインデックス、および/またはそれにおいて基準信号もしくはデータが送信されることになるDLリソースのシンボルインデックスの関数であり得る。
【００８７】
一態様では、割り当てられたリソースのヌメロロジーは、MIBまたはSIBにおいて示され得る。たとえば、どのヌメロロジーが使用されるかを示すデータが、MIBまたはSIB中に含まれ得、たとえば、4つの異なるヌメロロジーを伴う一例では、MIBまたはSIBの2ビットが、どのヌメロロジーが使用されるかを示すために使用され得る。別の態様では、基地局および/またはUEは、異なるヌメロロジーのリソース(たとえば、RB)を割り当てられ得る。
【００８８】
図13に示すように、UE1320は、基地局1310との通信、たとえば、UL通信のための、割り当てられたリソースの指示を受信するように構成され得る。UE1320は、割り当てられたリソースに関連付けられたサブキャリア間隔またはシンボル持続時間のうちの少なくとも1つを備える、ヌメロロジーを決定し、ヌメロロジーに基づいて、割り当てられたリソースのための1つまたは複数のインデックスを決定し得る。UE1320は、1つまたは複数のインデックスに基づいて、シーケンスを生成し、シーケンスに基づいて、基地局1310と通信し得る。
【００８９】
図13に示すように、指示はアップリンク許可を含み得る。基地局1310と通信することは、アップリンク送信において基準信号を送信すること、または、シーケンスに基づいて、アップリンク送信のためのデータをスクランブルすることのうちの少なくとも1つを含み得る。アップリンク送信は、アップリンク許可に基づき得る。
【００９０】
一態様では、ヌメロロジーを示す情報が基地局1310から受信され得る。情報は、MIB、SIB、またはRRCシグナリングにおいて受信され得る。
【００９１】
一態様では、ヌメロロジーを決定することは、第1の割り当てられたリソースに関連付けられた第1のヌメロロジーを決定すること、および、第2の割り当てられたリソースに関連付けられた第2のヌメロロジーを決定することを含み得、第1のヌメロロジーおよび第2のヌメロロジーが異なる。
【００９２】
一態様では、ヌメロロジーを決定することは、割り当てられたリソースのための複数の基準ヌメロロジーを決定することを含み得、1つまたは複数のインデックスを決定することは、割り当てられたリソースの部分を、複数のヌメロロジーにおける対応する基準ヌメロロジーと比較することを含む。
【００９３】
一態様では、割り当てられたリソースのための1つまたは複数のインデックスを決定することは、割り当てられたリソースに関連付けられた第1のRBの第1のRBロケーションを、対応する基準ヌメロロジーの第2のRBロケーションとマッチングすることによって、RBインデックスを決定することであって、RBインデックスが、対応する基準ヌメロロジー内の第2のRBロケーションに基づく、決定すること、割り当てられたリソースに関連付けられた第1のシンボルの第1のシンボルロケーションを、対応する基準ヌメロロジーにおける対応するシンボルの第2のシンボルロケーションとマッチングすることによって、シンボルインデックスを決定することであって、シンボルインデックスが、対応する基準ヌメロロジー内の第2のシンボルロケーションに基づく、決定すること、または、割り当てられたリソースに関連付けられた第1の周波数サブキャリアロケーションを、対応する基準ヌメロロジーにおける第2の周波数サブキャリアロケーションとマッチングすることによって、周波数サブキャリアインデックスを決定することであって、周波数サブキャリアインデックスが、対応する基準ヌメロロジー内の第2の周波数サブキャリアロケーションに基づく、決定することのうちの1つまたは複数を含み得る。
【００９４】
一態様では、割り当てられたリソースのための1つまたは複数のインデックスを決定することは、時間周波数リソースを、ヌメロロジーをもつインデックス付き時間周波数グリッドとマッチングすること、および、最も近い一致するインデックスを選定することのうちの1つまたは複数を含み得る。
【００９５】
一態様では、ヌメロロジーを決定することは、割り当てられたリソースにおける複数のULリソースまたはDLリソースの各々に関連付けられた、サブキャリア間隔およびシンボル持続時間を決定することであって、複数のULリソースまたはDLリソースが、少なくとも2つの異なるサブキャリア間隔またはシンボル持続時間を備える、決定すること、ならびに、複数のULの各ULリソースまたは各DLリソースのためのインデックスを決定することを含み得る。
【００９６】
図14は、ワイヤレス通信の方法のフローチャート1400である。方法は、UE(たとえば、UE104、350、1020、1320、装置1502/1502')によって実行され得る。1402で、UEは、基地局と通信するための割り当てられたリソースの指示を受信し得る。たとえば、UE(たとえば、UE104、350、1020、1320、装置1502/1502')は、基地局と通信するための割り当てられたリソースの指示を受信し得る。一態様では、指示は、ダウンリンク割当てを含み得る。一態様では、指示は、アップリンク許可を含み得る。情報は、MIB、SIB、またはRRCシグナリングにおいて受信され得る。情報は、様々なヌメロロジーへのビットのマッピングであり得る。たとえば、特定の個々のヌメロロジーが使用される場合、一連のビットは、個々のヌメロロジーにマッピングし得、たとえば、2ビットは、4つのヌメロロジーにマッピングし得る。混合ヌメロロジーは、より複雑なマッピングを使用し得、たとえば、ビットは、RBの数と、RBのための時間および周波数のサイズとを示すために使用され得る。
【００９７】
1404で、UEはヌメロロジーを決定し得る。ヌメロロジーは、割り当てられたリソースに関連付けられたサブキャリア間隔またはシンボル持続時間のうちの少なくとも1つを含み得る。一態様では、ヌメロロジーは、信号を送信するためのリソースに関連付けられ得る。たとえば、UE(たとえば、UE104、350、1020、1320、装置1502/1502')は、ヌメロロジーを決定し得る。
【００９８】
一態様では、ヌメロロジーを決定することは、第1の割り当てられたリソースに関連付けられた第1のヌメロロジーを決定すること、および、第2の割り当てられたリソースに関連付けられた第2のヌメロロジーを決定することを含み得る。第1のヌメロロジーおよび第2のヌメロロジーは、異なり得る。別の態様では、ヌメロロジーを決定することは、割り当てられたリソースのための複数の基準ヌメロロジーを決定することを含み得る。
【００９９】
一態様では、ヌメロロジーを決定することは、割り当てられたリソースにおける複数のULリソースまたはDLリソースの各々に関連付けられた、サブキャリア間隔およびシンボル持続時間を決定することを含み得、複数のULリソースまたはDLリソースのうちの各ULリソースまたは各DLリソースのためのインデックスを決定することが、各ULリソースまたは各DLリソースのための対応する基準サブキャリア間隔と対応する基準シンボル持続時間とに基づく。複数のULリソースまたはDLリソースは、少なくとも2つの異なるサブキャリア間隔またはシンボル持続時間を含み得る。
【０１００】
ヌメロロジーは、信号を送信するために、RBのために使用される時間および/または周波数リソースに関連付けられ得る。
【０１０１】
一態様では、ヌメロロジーは、リソースにおけるサブキャリア間隔に対応し得る。たとえば、ヌメロロジーは、時間および周波数におけるRBのサイズを示し得る。
【０１０２】
一態様では、ヌメロロジーは、受信された情報に基づいて決定され得る。たとえば、受信された情報におけるビットは、RBの数、および/またはRBの各々のための時間/周波数リソースを示し得る。
【０１０３】
1406で、UEは、ヌメロロジーに基づいて、割り当てられたリソースのための1つまたは複数のインデックスを決定し得る。たとえば、UE(たとえば、UE104、350、1020、1320、装置1502/1502')は、決定されたヌメロロジーに基づいて、シーケンスを決定し得る。一態様では、1つまたは複数のインデックスを決定することは、割り当てられたリソースの部分を、複数のヌメロロジーにおける対応する基準ヌメロロジーと比較することを含み得る。
【０１０４】
別の態様では、割り当てられたリソースのための1つまたは複数のインデックスを決定することは、以下のうちの1つまたは複数を含み得る。たとえば、割り当てられたリソースのための1つまたは複数のインデックスを決定することは、割り当てられたリソースに関連付けられた第1のRBの第1のRBロケーションを、対応する基準ヌメロロジーの第2のRBロケーションとマッチングすることによって、リソースブロック(RB)インデックスを決定することであって、RBインデックスが、対応する基準ヌメロロジー内の第2のRBロケーションに基づく、決定することを含み得る。割り当てられたリソースのための1つまたは複数のインデックスを決定することは、割り当てられたリソースに関連付けられた第1のシンボルの第1のシンボルロケーションを、対応する基準ヌメロロジーの第2のシンボルロケーションとマッチングすることによって、シンボルインデックスを決定することであって、シンボルインデックスが、対応する基準ヌメロロジー内の第2のシンボルロケーションに基づく、決定することを含み得る。割り当てられたリソースのための1つまたは複数のインデックスを決定することは、割り当てられたリソースに関連付けられた第1の周波数サブキャリアロケーションを、対応する基準ヌメロロジーにおける第2の周波数サブキャリアロケーションとマッチングすることによって、周波数サブキャリアインデックスを決定することであって、周波数サブキャリアインデックスが、対応する基準ヌメロロジー内の第2の周波数サブキャリアロケーションに基づく、決定することを含み得る。割り当てられたリソースのための1つまたは複数のインデックスを決定することは、割り当てられたリソースを、基準ヌメロロジーを有するインデックス付き時間周波数グリッドと比較すること、および、最も近い一致を選定することを含み得る。
【０１０５】
一態様では、RBインデックス、シンボルインデックス、周波数サブキャリアインデックス、またはシンボルインデックスのうちの少なくとも1つを決定することは、リソースに関連付けられた第1のRBの第1のRBロケーションを、決定されたヌメロロジーを有する基準時間周波数グリッドにおける対応するRBの第2のRBロケーションとマッチングすることによって、RBインデックスを決定することのうちの1つまたは複数を実行することを含み得る。RBインデックスは、基準時間周波数グリッド内の第2のRBロケーションに基づき得る。
【０１０６】
一態様は、リソースに関連付けられた第1のシンボルの第1のシンボルロケーションを、決定されたヌメロロジーを有する基準時間周波数グリッドにおける対応するシンボルの第2のシンボルロケーションとマッチングすることによって、シンボルインデックスを決定し得る。シンボルインデックスは、基準時間周波数グリッド内の第2のシンボルロケーションに基づき得る。
【０１０７】
一態様は、リソースに関連付けられた第1の周波数サブキャリアロケーションを、決定されたヌメロロジーを有する基準RBにおける対応する周波数サブキャリアの第2の周波数サブキャリアロケーションとマッチングすることによって、周波数サブキャリアインデックスを決定し得る。周波数サブキャリアインデックスは、基準RB内の第2の周波数サブキャリアロケーションに基づき得る。
【０１０８】
一態様は、リソースに関連付けられた第1のシンボルロケーションを、決定されたヌメロロジーを有する基準シンボルにおける対応するシンボルの第2のシンボルロケーションとマッチングすることによって、シンボルインデックスを決定し得る。シンボルインデックスは、基準シンボル内の第2のシンボルロケーションに基づき得る。
【０１０９】
一態様では、第2のRBロケーションは、第1のRBロケーションへの最も近い対応するRBロケーションであり得る。第2のシンボルロケーションは、第1のシンボルロケーションへの最も近い対応するシンボルロケーションであり得る。第2の周波数サブキャリアロケーションは、第1の周波数サブキャリアロケーションへの最も近い対応する周波数サブキャリアロケーションであり得る。一態様では、第2のシンボルロケーションは、第1のシンボルロケーションへの最も近い対応するシンボルロケーションであり得る。
【０１１０】
一態様では、第1のRBは、対応するRBの第2の開始周波数以下である第1の開始周波数を有し得る。第1のRBは、対応するRBの第2の開始周波数以上である第1の開始周波数を有し得る。
【０１１１】
一態様では、第1のシンボルは、対応するシンボルの第2の開始シンボルに先行するかまたは一致する第1の開始シンボルを有し得る。第1のシンボルは、対応するシンボルの第2の開始シンボルに後続するかまたは一致する第1の開始シンボルを有し得る。
【０１１２】
一態様では、RBインデックス、シンボルインデックス、周波数サブキャリアインデックス、またはシンボルインデックスのうちの少なくとも1つを決定することは、リソースの第1のRBロケーションを、第2のヌメロロジーを有する基準時間周波数グリッドにおける1つまたは複数の対応するRBのRBロケーションのセットとマッチングすることによって、RBインデックスを決定することのうちの1つまたは複数を実行することを含み得る。第2のヌメロロジーは、ヌメロロジーに関連付けられた第2のサブキャリア間隔以下である第1のサブキャリア間隔に関連付けられ得る。RBインデックスは、RBロケーションのセットに基づいて決定され得る。
【０１１３】
一態様は、リソースの第1のシンボルロケーションを、第2のヌメロロジーを有する基準時間周波数グリッドにおける1つまたは複数の対応するシンボルのシンボルロケーションのセットとマッチングすることによって、シンボルインデックスを決定することを含み得る。第2のヌメロロジーは、ヌメロロジーに関連付けられた第2のサブキャリア間隔以下である第1のサブキャリア間隔に関連付けられ得る。シンボルインデックスは、シンボルロケーションのセットに基づいて決定され得る。
【０１１４】
一態様は、リソースの第1の周波数サブキャリアロケーションを、第2のヌメロロジーを有する基準RBにおける1つまたは複数の対応する周波数サブキャリアの周波数サブキャリアロケーションのセットとマッチングすることによって、周波数サブキャリアインデックスを決定することを含み得る。第2のヌメロロジーは、ヌメロロジーに関連付けられた第2のサブキャリア間隔以下である第1のサブキャリア間隔に関連付けられ得る。周波数サブキャリアインデックスは、周波数サブキャリアロケーションのセットに基づいて決定され得る。
【０１１５】
一態様は、リソースの第1のシンボルロケーションを、第2のヌメロロジーを有する基準シンボルにおける1つまたは複数の対応するシンボルのシンボルロケーションのセットとマッチングすることによって、シンボルインデックスを決定することを含み得る。第2のヌメロロジーは、ヌメロロジーに関連付けられた第2のサブキャリア間隔以下である第1のサブキャリア間隔に関連付けられ得る。シンボルインデックスは、シンボルロケーションのセットに基づいて決定され得る。
【０１１６】
一態様では、RBインデックスは、1つまたは複数の対応するRBの中の最低周波数RBのインデックスに対応し得るか、または、1つまたは複数の対応するRBの中の最高周波数RBのインデックスに対応し得る。
【０１１７】
一態様では、シンボルインデックスは、1つまたは複数の対応するシンボルの中の最も早い開始シンボルをもつシンボルのインデックスに対応し得るか、または、1つまたは複数の対応するシンボルの中の最も遅い開始シンボルをもつシンボルのインデックスに対応し得る。
【０１１８】
一態様では、RBインデックス、シンボルインデックス、周波数サブキャリアインデックス、またはシンボルインデックスのうちの少なくとも1つを決定することは、RBのセットのためのヌメロロジー情報を決定することを含み得る。RBインデックスは、RBのセットにおける他のRBに関するリソースに関連付けられたRBのロケーションと、RBのセットのためのヌメロロジー情報とに基づいて決定され得る。
【０１１９】
一態様では、基準信号は、DM-RS、SRS、またはMRSのうちの1つを含み得る。
【０１２０】
1408で、UEは、1つまたは複数のインデックスに基づいて、シーケンスを生成し得る。たとえば、UE(たとえば、UE104、350、1020、1320、装置1502/1502')は、1つまたは複数のインデックスに基づいて、シーケンスを生成し得る。一態様では、シーケンスを決定することは、RBインデックス、シンボルインデックス、周波数サブキャリアインデックス、またはリソースに関連付けられたシンボルインデックスのうちの少なくとも1つを決定することを含み得る。したがって、一態様は、RBインデックス、シンボルインデックス、周波数サブキャリアインデックス、またはリソースに関連付けられたシンボルインデックスのうちの少なくとも1つに基づいて、シーケンスを生成し得る。一態様では、シーケンスは基準信号であり得る。信号は、基準信号を含み得る。一態様では、シーケンスはスクランブリングコードであり得る。
【０１２１】
1410で、UEは、シーケンスに基づいて、基地局と通信し得る。たとえば、UE(たとえば、UE104、350、1020、1320、装置1502/1502')は、シーケンスに基づいて、基地局と通信し得る。一態様では、基地局と通信することは、ダウンリンク割当てに基づいてダウンリンク送信を受信すること、および、シーケンスに基づくチャネル推定、またはシーケンスに基づいて、ダウンリンク送信において受信されたスクランブルされたデータを復号することのうちの少なくとも1つを実行することを含み得る。別の態様では、基地局と通信することは、アップリンク送信において基準信号を送信すること、または、シーケンスに基づいて、アップリンク送信のためのデータをスクランブルすることのうちの少なくとも1つを含み得る。アップリンク送信は、アップリンク許可に基づき得る。
【０１２２】
1412で、場合によっては、UEは、基地局から、ヌメロロジーを示す情報を受信し得る。たとえば、UE(たとえば、UE104、350、1020、1320、装置1502/1502')は、基地局から、ヌメロロジーを示す情報を受信し得る。一態様では、情報は、MIB、SIB、またはRRCシグナリングにおいて受信される。
【０１２３】
図15は、例示的な装置1502の中の様々な手段/構成要素間のデータフローを示す概念データフロー図1500である。装置は、基地局1550から、信号1520などの信号を受信する、構成要素1504を含む。一態様では、構成要素1504は、信号1520を受信し得、受信された信号1520は、基地局からのヌメロロジーを示す情報を含み得る。たとえば、情報は、MIB、SIB、またはRRCシグナリングを使用して送信され得る、信号1520において受信され得る。装置は、たとえば、受信構成要素1504(指示1522)を通して、基地局1550(信号1520)から、基地局1550と通信するための割り当てられたリソースの指示1522を受信する、構成要素1506を含む。装置は、たとえば、指示を受信する構成要素1506から、1524で受信された、割り当てられたリソースに関連付けられたサブキャリア間隔またはシンボル持続時間のうちの少なくとも1つを含み得る、ヌメロロジー1526を決定する、構成要素1508を含む。装置1502はまた、ヌメロロジー1526に基づいて、割り当てられたリソースのための1つまたは複数のインデックス1528を決定する、構成要素1510を含み得る。追加として、装置1502は、1つまたは複数のインデックス1528に基づいて、シーケンス1530を生成する、構成要素1512を含み得る。装置1502は、たとえば、信号1534を送信し得る、送信構成要素1516を通して、シーケンス1530に基づいて、1532で基地局と通信する、構成要素1514を含み得る。
【０１２４】
装置1502は、図14の上述のフローチャートの中のアルゴリズムのブロックの各々を実行する追加の構成要素を含み得る。したがって、図14の上述のフローチャートの中の各ブロックは、1つの構成要素によって実行されることがあり、装置は、それらの構成要素のうちの1つまたは複数を含み得る。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであり得る。
【０１２５】
図16は、処理システム1614を採用する装置1502'のためのハードウェア実装形態の一例を示す図1600である。処理システム1614は、バス1624によって概略的に表されるバスアーキテクチャを用いて実装され得る。バス1624は、処理システム1614の特定の適用例および全体的な設計制約に応じて、任意の数の相互接続バスとブリッジとを含み得る。バス1624は、プロセッサ1604によって表される1つまたは複数のプロセッサおよび/またはハードウェア構成要素と、構成要素1504、1506、1508、1510、1512、1514、1516と、コンピュータ可読媒体/メモリ1606とを含む様々な回路を互いにリンクする。バス1624はまた、タイミングソース、周辺装置、電圧調整器、および電力管理回路などの様々な他の回路をリンクする場合があるが、これらの回路は当技術分野においてよく知られており、したがって、これ以上説明しない。
【０１２６】
処理システム1614は、トランシーバ1610に結合され得る。トランシーバ1610は、1つまたは複数のアンテナ1620に結合される。トランシーバ1610は、送信媒体を介して様々な他の装置と通信するための手段を提供する。トランシーバ1610は、1つまたは複数のアンテナ1620から信号を受信し、受信された信号から情報を抽出し、抽出された情報を処理システム1614に提供し、具体的には、受信構成要素1504は、基地局から、ヌメロロジーを示す情報を受信し得る。情報は、MIB、SIB、またはRRCシグナリングにおいて受信され得る。追加として、トランシーバ1610は、処理システム1614から情報を送信する。ワイヤレス通信のための装置1502/1502'は、受信のための構成要素1504を含む。構成要素1504は、基地局からのヌメロロジーを示す情報、または他の信号を受信し得る。ワイヤレス通信のための装置1502/1502'は、基地局と通信するための割り当てられたリソースの指示を受信するための構成要素1506と、割り当てられたリソースに関連付けられたサブキャリア間隔またはシンボル持続時間のうちの少なくとも1つを備える、ヌメロロジーを決定するための構成要素1508と、ヌメロロジーに基づいて、割り当てられたリソースのための1つまたは複数のインデックスを決定するための構成要素1510と、1つまたは複数のインデックスに基づいて、シーケンスを生成するための構成要素1512と、シーケンスに基づいて、基地局と通信するための構成要素1514とを含む。ワイヤレス通信のための装置1502/1502'はまた、信号を送信するための構成要素1516を含む。処理システム1614は、コンピュータ可読媒体/メモリ1606に結合されたプロセッサ1604を含む。プロセッサ1604は、コンピュータ可読媒体/メモリ1606に記憶されたソフトウェアの実行を含む、一般的な処理を担う。ソフトウェアは、プロセッサ1604によって実行されると、任意の特定の装置に関して上記で説明した様々な機能を処理システム1614に実行させる。コンピュータ可読媒体/メモリ1606はまた、ソフトウェアを実行するときにプロセッサ1604によって操作されるデータを記憶するために使用され得る。処理システム1614は、構成要素1504、1506、1508、1510、1512、1514、1516のうちの少なくとも1つをさらに含む。それらの構成要素は、プロセッサ1604内で動作し、コンピュータ可読媒体/メモリ1606に存在する/記憶されたソフトウェア構成要素、プロセッサ1604に結合された1つもしくは複数のハードウェア構成要素、またはそれらの何らかの組合せであり得る。処理システム1614は、UE350の構成要素であり得、メモリ360、ならびに/または、TXプロセッサ368、RXプロセッサ356、およびコントローラ/プロセッサ359のうちの少なくとも1つを含み得る。
【０１２７】
一構成では、ワイヤレス通信のための装置1502/1502'は、基地局と通信するための割り当てられたリソースの指示を受信するための手段と、割り当てられたリソースに関連付けられたサブキャリア間隔またはシンボル持続時間のうちの少なくとも1つを備える、ヌメロロジーを決定するための手段と、ヌメロロジーに基づいて、割り当てられたリソースのための1つまたは複数のインデックスを決定するための手段と、1つまたは複数のインデックスに基づいて、シーケンスを生成するための手段と、シーケンスに基づいて、基地局と通信するための手段とを含む。一態様では、ワイヤレス通信のための装置1502/1502'は、基地局から、ヌメロロジーを示す情報を受信するための手段を含む。
【０１２８】
上述の手段は、上述の手段によって列挙された機能を実行するように構成された装置1502および/または装置1502'の処理システム1614の上述の構成要素のうちの1つまたは複数であり得る。上記で説明したように、処理システム1614は、TXプロセッサ368と、RXプロセッサ356と、コントローラ/プロセッサ359とを含み得る。したがって、一構成では、上述の手段は、上述の手段によって列挙された機能を実行するように構成されたTXプロセッサ368、RXプロセッサ356、およびコントローラ/プロセッサ359であり得る。
【０１２９】
図17は、ワイヤレス通信の方法のフローチャート1700である。方法は、基地局(たとえば、基地局102、180、310、1010、1310、装置1802/1802')によって実行され得る。1702で、基地局は、リソースに関連付けられたヌメロロジーを決定し得る。たとえば、基地局(基地局102、180、310、1010、1310、装置1802/1802')は、リソースに関連付けられたヌメロロジーを決定し得る。一態様では、リソースに関連付けられたヌメロロジーの決定は、複数のULリソースの各々に関連付けられた、サブキャリア間隔およびシンボル持続時間を決定することを含み得る。複数のULリソースは、少なくとも2つの異なるサブキャリア間隔またはシンボル持続時間を含み得る。装置は、各ULリソースのための対応するサブキャリア間隔および対応するシンボル持続時間に基づいて、複数のULリソースの各々のためのインデックスを決定し得る。
【０１３０】
一態様では、複数のULリソースは、システム帯域幅の複数のRBを含み得る。インデックスを決定することは、各RBの対応するサブキャリア間隔および対応するシンボル持続時間に関連付けられたヌメロロジーに関して、各RBについて実行され得る。
【０１３１】
一態様では、ヌメロロジーを決定することは、リソースの第1の部分のための第1のヌメロロジーと、リソースの第2の部分のための第2のヌメロロジーとを決定することを含み得る。
【０１３２】
1704で、基地局は、ユーザ機器による使用のためにリソースを割り当て得る。たとえば、基地局(基地局102、180、310、1010、1310、装置1802/1802')は、ユーザ機器による使用のためにリソースを割り当て得る。たとえば、基地局は、リソースを割り当てるためにUEを選択し、選択されたUEのためのリソースを選択し、選択されたリソースをUEに割り当て得る。
【０１３３】
一態様では、ヌメロロジーは、波形送信を定義するために使用されたパラメータを指すことがある。ヌメロロジーパラメータは、サブキャリア間隔、サイクリックプレフィックスの長さ、OFDMシンボルの長さ、送信時間間隔(TTI)中に含まれるシンボルの数、および、たとえば、ミリ秒単位のTTIの持続時間のうちの1つまたは複数を含み得る。したがって、MIB、SIB、RRCのうちの1つまたは複数は、サブキャリア間隔、サイクリックプレフィックスの長さ、OFDMシンボルの長さ、TTI中に含まれるシンボルの数、およびTTIの持続時間のうちの1つまたは複数を含み得る。
【０１３４】
1706で、基地局は、ヌメロロジーをシグナリングし得る。たとえば、基地局(基地局102、180、310、1010、1310、装置1802/1802')は、ヌメロロジーをシグナリングし得る。ヌメロロジーをシグナリングすることは、リソースに関連付けられたサブキャリア間隔またはシンボル持続時間のうちの少なくとも1つをシグナリングすることを含み得る。一態様では、ヌメロロジーは、MIB、SIB、またはRRCシグナリングのうちの少なくとも1つにおいてシグナリングされ得る。一態様では、ヌメロロジーをシグナリングすることは、第1のヌメロロジーをシグナリングすること、および第2のヌメロロジーをシグナリングすることを含み得る。
【０１３５】
他の態様では、基地局は、第2のリソースに関連付けられた第2のヌメロロジーを決定し得る。たとえば、基地局(基地局102、180、310、1010、1310、装置1802/1802')は、第2のリソースに関連付けられた第2のヌメロロジーを決定し得る。
【０１３６】
一態様では、基地局は、決定された第2のヌメロロジーに基づいて、第2のリソースに関連付けられたシーケンスを決定し得る。たとえば、基地局(基地局102、180、310、1010、1310、装置1802/1802')は、決定された第2のヌメロロジーに基づいて、第2のリソースに関連付けられたシーケンスを決定し得る。
【０１３７】
一態様では、シーケンスを決定することは、RBインデックス、シンボルインデックス、周波数サブキャリアインデックス、またはリソースに関連付けられたシンボルインデックスのうちの少なくとも1つを決定すること、および、RBインデックス、シンボルインデックス、周波数サブキャリアインデックス、またはリソースに関連付けられたシンボルインデックスのうちの少なくとも1つに基づいて、シーケンスを生成することを含み得る。
【０１３８】
一態様では、RBインデックス、シンボルインデックス、周波数サブキャリアインデックス、またはシンボルインデックスのうちの少なくとも1つを決定することは、リソースに関連付けられた第1のRBの第1のRBロケーションを、決定されたヌメロロジーを有する基準時間周波数グリッドにおける対応するRBの第2のRBロケーションとマッチングすることによって、RBインデックスを決定することのうちの1つまたは複数を実行することを含み得る。RBインデックスは、基準時間周波数グリッド内の第2のRBロケーションに基づき得る。
【０１３９】
一態様では、RBインデックス、シンボルインデックス、周波数サブキャリアインデックス、またはシンボルインデックスのうちの少なくとも1つを決定することは、リソースに関連付けられた第1のシンボルの第1のシンボルロケーションを、決定されたヌメロロジーを有する基準時間周波数グリッドにおける対応するシンボルの第2のシンボルロケーションとマッチングすることによって、シンボルインデックスを決定することを含み得る。シンボルインデックスは、基準時間周波数グリッド内の第2のシンボルロケーションに基づき得る。
【０１４０】
一態様では、RBインデックス、シンボルインデックス、周波数サブキャリアインデックス、またはシンボルインデックスのうちの少なくとも1つを決定することは、リソースに関連付けられた第1の周波数サブキャリアロケーションを、決定されたヌメロロジーを有する基準RBにおける対応する周波数サブキャリアの第2の周波数サブキャリアロケーションとマッチングすることによって、周波数サブキャリアインデックスを決定することを含み得る。周波数サブキャリアインデックスは、基準RB内の第2の周波数サブキャリアロケーションに基づき得る。
【０１４１】
一態様では、RBインデックス、シンボルインデックス、周波数サブキャリアインデックス、またはシンボルインデックスのうちの少なくとも1つを決定することは、リソースに関連付けられた第1のシンボルロケーションを、決定されたヌメロロジーを有する基準シンボルにおける対応するシンボルの第2のシンボルロケーションとマッチングすることによって、シンボルインデックスを決定することを含み得る。シンボルインデックスは、基準シンボル内の第2のシンボルロケーションに基づき得る。
【０１４２】
一態様では、第2のRBロケーションは、第1のRBロケーションへの最も近い対応するRBロケーションであり得る。第2のシンボルロケーションは、第1のシンボルロケーションへの最も近い対応するシンボルロケーションであり得る。第2の周波数サブキャリアロケーションは、第1の周波数サブキャリアロケーションへの最も近い対応する周波数サブキャリアロケーションであり得るか、または、第2のシンボルロケーションは、第1のシンボルロケーションへの最も近い対応するシンボルロケーションであり得る。
【０１４３】
一態様では、第1のRBは、対応するRBの第2の開始周波数以下である第1の開始周波数を有し得る。第1のRBは、対応するRBの第2の開始周波数以上である第1の開始周波数を有し得る。
【０１４４】
一態様では、第1のシンボルは、対応するシンボルの第2の開始シンボルに先行するかまたは一致する第1の開始シンボルを有し得る。第1のシンボルは、対応するシンボルの第2の開始シンボルに後続するかまたは一致する第1の開始シンボルを有し得る。
【０１４５】
一態様では、RBインデックス、シンボルインデックス、周波数サブキャリアインデックス、またはシンボルインデックスのうちの少なくとも1つを決定することは、リソースの第1のRBロケーションを、第2のヌメロロジーを有する基準時間周波数グリッドにおける1つまたは複数の対応するRBのRBロケーションのセットとマッチングすることによって、RBインデックスを決定することのうちの1つまたは複数を実行することを含み得る。第2のヌメロロジーは、ヌメロロジーに関連付けられた第2のサブキャリア間隔以下である第1のサブキャリア間隔に関連付けられ得る。RBインデックスは、RBロケーションのセットに基づいて決定され得る。
【０１４６】
一態様は、リソースの第1のシンボルロケーションを、第2のヌメロロジーを有する基準時間周波数グリッドにおける1つまたは複数の対応するシンボルのシンボルロケーションのセットとマッチングすることによって、シンボルインデックスを決定することを含み得る。第2のヌメロロジーは、ヌメロロジーに関連付けられた第2のサブキャリア間隔以下である第1のサブキャリア間隔に関連付けられ得る。シンボルインデックスは、シンボルロケーションのセットに基づいて決定され得る。
【０１４７】
一態様は、リソースの第1の周波数サブキャリアロケーションを、第2のヌメロロジーを有する基準RBにおける1つまたは複数の対応する周波数サブキャリアの周波数サブキャリアロケーションのセットとマッチングすることによって、周波数サブキャリアインデックスを決定することを含み得る。第2のヌメロロジーは、ヌメロロジーに関連付けられた第2のサブキャリア間隔以下である第1のサブキャリア間隔に関連付けられ得る。周波数サブキャリアインデックスは、周波数サブキャリアロケーションのセットに基づいて決定され得る。
【０１４８】
一態様は、リソースの第1のシンボルロケーションを、第2のヌメロロジーを有する基準シンボルにおける1つまたは複数の対応するシンボルのシンボルロケーションのセットとマッチングすることによって、シンボルインデックスを決定することを含み得る。第2のヌメロロジーは、ヌメロロジーに関連付けられた第2のサブキャリア間隔以下である第1のサブキャリア間隔に関連付けられ得る。シンボルインデックスは、シンボルロケーションのセットに基づいて決定され得る。
【０１４９】
一態様では、RBインデックスは、1つまたは複数の対応するRBの中の最低周波数RBのインデックスに対応し得るか、または、1つまたは複数の対応するRBの中の最高周波数RBのインデックスに対応する。
【０１５０】
一態様では、シンボルインデックスは、1つまたは複数の対応するシンボルの中の最も早い開始シンボルをもつシンボルのインデックスに対応し得るか、または、1つまたは複数の対応するシンボルの中の最も遅い開始シンボルをもつシンボルのインデックスに対応する。
【０１５１】
一態様では、RBインデックス、シンボルインデックス、周波数サブキャリアインデックス、またはシンボルインデックスのうちの少なくとも1つを決定することは、RBのセットのためのヌメロロジー情報を決定することを含み得る。RBインデックスは、RBのセットにおける他のRBに関するリソースに関連付けられたRBのロケーションと、RBのセットのためのヌメロロジー情報とに基づいて決定され得る。
【０１５２】
一態様では、シーケンスは基準信号である。第2の信号は、基準信号を含み得る。たとえば、シーケンスが知られていることがあるので、シーケンスは基準信号として使用され得る。シーケンス/基準信号は、第2の信号の一部として送信され得る。
【０１５３】
一態様では、基準信号は、DM-RS、CSI-RS、またはMRSのうちの1つを含み得る。一態様では、シーケンスはスクランブリングコードであり得る。
【０１５４】
他の態様では、基地局は、決定されたシーケンスに基づいて、第2の信号を送信し得る。たとえば、基地局(基地局102、180、310、1010、1310、装置1802/1802')は、決定されたシーケンスに基づいて、第2の信号を送信し得る。送信することは、スクランブリングコードに基づいて情報をスクランブルすること、および、第2の信号において、スクランブルされた情報を送信することをさらに含み得る。一態様では、シーケンスを決定することは、RBインデックス、シンボルインデックス、周波数サブキャリアインデックス、またはリソースに関連付けられたシンボルインデックスのうちの少なくとも1つを決定すること、および、RBインデックス、シンボルインデックス、周波数サブキャリアインデックス、またはリソースに関連付けられたシンボルインデックスのうちの少なくとも1つに基づいて、シーケンスを生成することを含み得る。
【０１５５】
図18は、例示的な装置1802の中の様々な手段/構成要素間のデータフローを示す概念データフロー図1800である。装置は基地局であり得る。装置は、たとえば、受信されたデータ1822に基づいて、リソースに関連付けられたヌメロロジー1824を決定する、構成要素1806を含む。受信されたデータ1822は、受信構成要素1804から受信され、外部送信1820から、たとえば、UE1850または他の通信デバイス(図示せず)から受信された情報に基づき得る。装置はまた、たとえば、ヌメロロジー1824に基づいて、UE1850による使用のために、リソース、たとえば、時間および/または周波数リソースを割り当てる、構成要素1808を含む。割当て1826は、構成要素1810に通信され得る。構成要素1810は、ヌメロロジーおよび割当て1826を受信し得、送信構成要素1814に情報1828を送信することによって、割当てを使用して、ヌメロロジーをシグナリングし得る。ヌメロロジーは、リソースに関連付けられたサブキャリア間隔またはシンボル持続時間のうちの少なくとも1つを含み得、MIB、SIB、またはRRCシグナリングのうちの少なくとも1つにおいてシグナリングされ得る。
【０１５６】
装置は、たとえば、送信構成要素1814を通して、ヌメロロジーに基づいて、割り当てられたリソースを介して、ユーザ機器1850と通信する、構成要素1812を含む。たとえば、送信構成要素1814は、ヌメロロジーを送信し、シグナリングする構成要素1810から受信された情報1828と、通信する構成要素から受信された情報1832とに基づいて、送信1818を使用して、UE1850と通信し得る。
【０１５７】
装置は、図17の上述のフローチャートの中のアルゴリズムのブロックの各々を実行する追加の構成要素を含み得る。したがって、図17の上述のフローチャートの中の各ブロックは、1つの構成要素によって実行されることがあり、装置は、それらの構成要素のうちの1つまたは複数を含み得る。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであり得る。
【０１５８】
図19は、処理システム1914を採用する装置1802'のためのハードウェア実装形態の一例を示す図1900である。処理システム1914は、バス1924によって概略的に表されるバスアーキテクチャを用いて実装され得る。バス1924は、処理システム1914の特定の適用例および全体的な設計制約に応じて、任意の数の相互接続バスとブリッジとを含み得る。バス1924は、プロセッサ1904によって表される1つまたは複数のプロセッサおよび/またはハードウェア構成要素と、構成要素1804、1806、1808、1810、1812、1814と、コンピュータ可読媒体/メモリ1906とを含む様々な回路を互いにリンクする。バス1924はまた、タイミングソース、周辺装置、電圧調整器、および電力管理回路などの様々な他の回路をリンクする場合があるが、これらの回路は当技術分野においてよく知られており、したがって、これ以上説明しない。
【０１５９】
処理システム1914は、トランシーバ1910に結合され得る。トランシーバ1910は、1つまたは複数のアンテナ1920に結合される。トランシーバ1910は、送信媒体を介して様々な他の装置と通信するための手段を提供する。トランシーバ1910は、1つまたは複数のアンテナ1920から信号を受信し、受信された信号から情報を抽出し、抽出された情報を処理システム1914に提供し、具体的には、受信構成要素1804は、送信されたヌメロロジーに基づいて、リソースを介して、信号を受信する。
【０１６０】
追加として、トランシーバ1910は、処理システム1914から情報を受信し、具体的には、送信構成要素1814は、リソース(1806)に関連付けられた決定されたヌメロロジーを送信するか、または通信(1810)を送信し得る。送信構成要素1814は、1つまたは複数のアンテナ1920に適用されるべき信号を生成し得る。処理システム1914は、コンピュータ可読媒体/メモリ1906に結合されたプロセッサ1904を含む。プロセッサ1904は、コンピュータ可読媒体/メモリ1906に記憶されたソフトウェアの実行を含む、一般的な処理を担う。ソフトウェアは、プロセッサ1904によって実行されると、任意の特定の装置に関して上記で説明した様々な機能を処理システム1914に実行させる。コンピュータ可読媒体/メモリ1906はまた、ソフトウェアを実行するときにプロセッサ1904によって操作されるデータを記憶するために使用され得る。処理システム1914は、構成要素1804、1806、1808、1810、1812、1814のうちの少なくとも1つをさらに含む。それらの構成要素は、プロセッサ1904内で動作し、コンピュータ可読媒体/メモリ1906に存在する/記憶されたソフトウェア構成要素、プロセッサ1904に結合された1つもしくは複数のハードウェア構成要素、またはそれらの何らかの組合せであり得る。処理システム1914は、基地局310の構成要素であり得、メモリ376、ならびに/または、TXプロセッサ316、RXプロセッサ370、およびコントローラ/プロセッサ375のうちの少なくとも1つを含み得る。
【０１６１】
構成要素1812は、第2のリソースに関連付けられた第2のヌメロロジーを決定する。構成要素1814は、決定された第2のヌメロロジーに基づいて、第2のリソースに関連付けられたシーケンスを決定する。構成要素1816は、リソースに関連付けられたヌメロロジーを決定する。
【０１６２】
一構成では、ワイヤレス通信のための装置1802/1802'は、リソースに関連付けられたヌメロロジーを決定するための手段と、リソースに関連付けられた、決定されたヌメロロジーを送信するための手段と、送信されたヌメロロジーに基づいて、リソースを介して、信号を受信するための手段とを含む。
【０１６３】
ワイヤレス通信のための装置1802/1802'は、リソースに関連付けられた第2のヌメロロジーを決定するための手段と、ユーザ機器による使用のためにリソースを割り当てるための手段と、ヌメロロジーをシグナリングするための手段と、ヌメロロジーに基づいて、割り当てられたリソースを介して、ユーザ機器と通信するための手段とを含み得る。
【０１６４】
上述の手段は、上述の手段によって列挙された機能を実行するように構成された装置1802および/または装置1802'の処理システム1914の上述の構成要素のうちの1つまたは複数であり得る。上記で説明したように、処理システム1914は、TXプロセッサ316と、RXプロセッサ370と、コントローラ/プロセッサ375とを含み得る。したがって、一構成では、上述の手段は、上述の手段によって列挙された機能を実行するように構成されたTXプロセッサ316、RXプロセッサ370、およびコントローラ/プロセッサ375であり得る。
【０１６５】
一態様では、シンボルインデックスは、1つまたは複数の対応するシンボルの中の最も早い開始シンボルをもつシンボルのインデックスに対応するか、または、1つまたは複数の対応するシンボルの中の最も遅い開始シンボルをもつシンボルのインデックスに対応する。
【０１６６】
一態様では、RBインデックス、シンボルインデックス、周波数サブキャリアインデックス、またはシンボルインデックスのうちの少なくとも1つを決定することは、RBのセットのためのヌメロロジー情報を決定することを含み得、RBインデックスが、RBのセットにおける他のRBに関するリソースに関連付けられたRBのロケーションと、RBのセットのためのヌメロロジー情報とに基づいて決定され得る。
【０１６７】
一態様では、シーケンスは基準信号であり得、第2の信号は基準信号を含み得る。一態様では、基準信号は、DM-RS、CSI-RS、またはMRSのうちの1つを含み得る。一態様では、シーケンスはスクランブリングコードであり得る。送信することは、スクランブリングコードに基づいて情報をスクランブルすること、および、第2の信号において、スクランブルされた情報を送信することをさらに含み得る。
【０１６８】
一態様では、ワイヤレス通信のためのUEは、信号を送信するためのリソースに関連付けられたヌメロロジーを決定するための手段と、決定されたヌメロロジーに基づいて、シーケンスを決定するための手段と、決定されたシーケンスに基づいて、信号を送信するための手段とを含み得る。
【０１６９】
一態様では、ワイヤレス通信のための基地局は、リソースに関連付けられたヌメロロジーを決定するための手段と、リソースに関連付けられた、決定されたヌメロロジーを送信するための手段と、送信されたヌメロロジーに基づいて、リソースを介して、信号を受信するための手段とを含み得る。
【０１７０】
一態様では、ワイヤレス通信のための基地局は、メモリと、メモリに結合された少なくとも1つのプロセッサとを含み得る。プロセッサは、リソースに関連付けられたヌメロロジーを決定すること、リソースに関連付けられた、決定されたヌメロロジーを送信すること、および、送信されたヌメロロジーに基づいて、リソースを介して、信号を受信することを行うように構成され得る。
【０１７１】
一態様では、ユーザ機器(UE)のコンピュータ可読媒体は、コンピュータ実行可能コードを記憶し得、信号を送信するためのリソースに関連付けられたヌメロロジーを決定すること、決定されたヌメロロジーに基づいて、シーケンスを決定すること、および、決定されたシーケンスに基づいて、信号を送信することを行うためのコードを含み得る。
【０１７２】
一態様では、コンピュータ実行可能コードを記憶する基地局のコンピュータ可読媒体は、リソースに関連付けられたヌメロロジーを決定すること、リソースに関連付けられた、決定されたヌメロロジーを送信すること、および、送信されたヌメロロジーに基づいて、リソースを介して、信号を受信することを行うためのコードを含み得る。
【０１７３】
一態様は、第2のリソースに関連付けられた第2のヌメロロジーを決定すること、決定された第2のヌメロロジーに基づいて、第2のリソースに関連付けられたシーケンスを決定すること、および、決定されたシーケンスに基づいて、第2の信号を送信することを行い得る。
【０１７４】
一態様では、シーケンスを決定することは、リソースブロック(RB)インデックス、シンボルインデックス、周波数サブキャリアインデックス、またはリソースに関連付けられたシンボルインデックスのうちの少なくとも1つを決定すること、および、RBインデックス、シンボルインデックスのうちの少なくとも1つに基づいて、シーケンスを生成することを含み得る。周波数サブキャリアインデックス、またはシンボルインデックスは、リソースに関連付けられ得る。
【０１７５】
一態様では、RBインデックス、シンボルインデックス、周波数サブキャリアインデックス、またはシンボルインデックスのうちの少なくとも1つの決定は、リソースに関連付けられた第1のRBの第1のRBロケーションを、決定されたヌメロロジーを有する基準時間周波数グリッドにおける対応するRBの第2のRBロケーションとマッチングすることによって、RBインデックスを決定することのうちの1つまたは複数を実行することを含む。RBインデックスは、基準時間周波数グリッド内の第2のRBロケーションに基づき得る。
【０１７６】
一態様は、リソースに関連付けられた第1のシンボルの第1のシンボルロケーションを、決定されたヌメロロジーを有する基準時間周波数グリッドにおける対応するシンボルの第2のシンボルロケーションとマッチングすることによって、シンボルインデックスを決定し得る。シンボルインデックスは、基準時間周波数グリッド内の第2のシンボルロケーションに基づき得る。
【０１７７】
一態様は、リソースに関連付けられた第1の周波数サブキャリアロケーションを、決定されたヌメロロジーを有する基準RBにおける対応する周波数サブキャリアの第2の周波数サブキャリアロケーションとマッチングすることによって、周波数サブキャリアインデックスを決定し得る。周波数サブキャリアインデックスは、基準RB内の第2の周波数サブキャリアロケーションに基づき得る。
【０１７８】
一態様は、リソースに関連付けられた第1のシンボルロケーションを、決定されたヌメロロジーを有する基準シンボルにおける対応するシンボルの第2のシンボルロケーションとマッチングすることによって、シンボルインデックスを決定し得る。シンボルインデックスは、基準シンボル内の第2のシンボルロケーションに基づき得る。
【０１７９】
一態様では、第2のRBロケーションは、第1のRBロケーションへの最も近い対応するRBロケーションであり得、第2のシンボルロケーションは、第1のシンボルロケーションへの最も近い対応するシンボルロケーションであり得る。第2の周波数サブキャリアロケーションは、第1の周波数サブキャリアロケーションへの最も近い対応する周波数サブキャリアロケーションであり得る。第2のシンボルロケーションは、第1のシンボルロケーションへの最も近い対応するシンボルロケーションであり得る。
【０１８０】
一態様では、第1のRBは、対応するRBの第2の開始周波数以下である第1の開始周波数を有する。第1のRBは、対応するRBの第2の開始周波数以上である第1の開始周波数を有し得る。
【０１８１】
一態様では、第1のシンボルは、対応するシンボルの第2の開始シンボルに先行するかまたは一致する第1の開始シンボルを有し得る。第1のシンボルは、対応するシンボルの第2の開始シンボルに後続するかまたは一致する第1の開始シンボルを有し得る。
【０１８２】
一態様は、RBインデックス、シンボルインデックス、周波数サブキャリアインデックス、またはシンボルインデックスのうちの少なくとも1つを決定することを含み、リソースの第1のRBロケーションを、第2のヌメロロジーを有する基準時間周波数グリッドにおける1つまたは複数の対応するRBのRBロケーションのセットとマッチングすることによって、RBインデックスを決定することのうちの1つまたは複数を実行することを含み得る。第2のヌメロロジーは、ヌメロロジーに関連付けられた第2のサブキャリア間隔以下である第1のサブキャリア間隔に関連付けられ得る。RBインデックスは、RBロケーションのセットに基づいて決定され得る。
【０１８３】
一態様は、リソースの第1のシンボルロケーションを、第2のヌメロロジーを有する基準時間周波数グリッドにおける1つまたは複数の対応するシンボルのシンボルロケーションのセットとマッチングすることによって、シンボルインデックスを決定することを含み得る。第2のヌメロロジーは、ヌメロロジーに関連付けられた第2のサブキャリア間隔以下である第1のサブキャリア間隔に関連付けられ得る。シンボルインデックスは、シンボルロケーションのセットに基づいて決定され得る。
【０１８４】
一態様は、リソースの第1の周波数サブキャリアロケーションを、第2のヌメロロジーを有する基準RBにおける1つまたは複数の対応する周波数サブキャリアの周波数サブキャリアロケーションのセットとマッチングすることによって、周波数サブキャリアインデックスを決定することを含み得る。第2のヌメロロジーは、ヌメロロジーに関連付けられた第2のサブキャリア間隔以下である第1のサブキャリア間隔に関連付けられ得る。周波数サブキャリアインデックスは、周波数サブキャリアロケーションのセットに基づいて決定され得る。
【０１８５】
一態様は、リソースの第1のシンボルロケーションを、第2のヌメロロジーを有する基準シンボルにおける1つまたは複数の対応するシンボルのシンボルロケーションのセットとマッチングすることによって、シンボルインデックスを決定することを含み得る。第2のヌメロロジーは、ヌメロロジーに関連付けられた第2のサブキャリア間隔以下である第1のサブキャリア間隔に関連付けられ得る。シンボルインデックスは、シンボルロケーションのセットに基づいて決定され得る。
【０１８６】
一態様では、RBインデックスは、1つまたは複数の対応するRBの中の最低周波数RBのインデックスに対応するか、または、1つまたは複数の対応するRBの中の最高周波数RBのインデックスに対応する。
【０１８７】
開示したプロセス/フローチャートにおけるブロックの特定の順序または階層は、例示的な手法の例示であることを理解されたい。設計上の選好に基づいて、プロセス/フローチャートにおけるブロックの特定の順序または階層が再構成される場合があることを理解されたい。さらに、いくつかのブロックは、組み合わせられるかまたは省略され得る。添付の方法クレームは、様々なブロックの要素を例示的な順序で提示したものであり、提示された特定の順序または階層に限定されるものではない。
【０１８８】
上述の説明は、本明細書で説明した様々な態様を当業者が実践できるようにするために提供される。これらの態様への様々な修正は当業者に容易に明らかになり、本明細書で定義する一般原理は他の態様に適用され得る。したがって、特許請求の範囲は、本明細書に示される態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という語は、本明細書では「例、事例、または例示として機能すること」を意味するために使用される。本明細書で「例示的」として説明するいかなる態様も、必ずしも他の態様よりも好ましいまたは有利なものと解釈されるべきではない。別段に明記されていない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示したものは、そのような開示が特許請求の範囲に明示的に列挙されているかどうかにかかわらず、公に供されるものではない。「モジュール」、「機構」、「要素」、「デバイス」などの単語は、「手段」という単語の代用ではないこ
とがある。したがって、いかなるクレーム要素も、その要素が「のための手段」という語句を使用して明確に列挙されていない限り、ミーンズプラスファンクションとして解釈されるべきではない。
【符号の説明】
【０１８９】
100  ワイヤレス通信システムおよびアクセスネットワーク
102  基地局、マクロ基地局
102'  スモールセル
104、350、1020、1320  UE
110  地理的カバレージエリア、カバレージエリア
110'  カバレージエリア
120  通信リンク
132、134  バックホールリンク
150  Wi-Fiアクセスポイント(AP)、AP、Wi-Fi AP
152  Wi-Fi局(STA)、STA
154  通信リンク
160  発展型パケットコア(EPC)、EPC
162  モビリティ管理エンティティ(MME)、MME
164  他のMME
166  サービングゲートウェイ
168  マルチメディアブロードキャストマルチキャストサービス(MBMS)ゲートウェイ、MBMSゲートウェイ
170  ブロードキャストマルチキャストサービスセンター(BM-SC)、BM-SC
172  パケットデータネットワーク(PDN)ゲートウェイ、PDNゲートウェイ
174  ホーム加入者サーバ(HSS)
176  IPサービス
180  gノードB(gNB)、gNB、mmW基地局、基地局
184  ビームフォーミング
192  デバイスツーデバイス(D2D)通信リンク、D2D通信リンク
310、1010、1310、1550  基地局
316  送信(TX)プロセッサ、TXプロセッサ
356、370  受信(RX)プロセッサ、RXプロセッサ
358、374  チャネル推定器
359、375  コントローラ/プロセッサ
318TX、354TX  送信機
320、352、1620、1920  アンテナ
354RX、318RX  受信機
360、376  メモリ
368  TXプロセッサ
410、510、610、710、810、910  第1のシンボル
420、520、620、720、820、920  第2のシンボル
430、530、630、730、830、930  第3のシンボル
460  第4のシンボル
470  第5のシンボル
480  第6のシンボル
540、640、740、840、940  シンボルのセット
550、560、750、760、770、850、860  RB
1030  DL許可
1040、1340、1520、1534  信号
1110、1120、1140、1210、1220、1240  シンボル
1330  UL許可
1502、1502'、1802、1802'  装置
1504、1804  構成要素、受信構成要素
1506  構成要素、指示を受信する構成要素
1508、1510、1512、1514、1808、1816  構成要素
1516、1814  送信構成要素、構成要素
1522  指示
1526、1824  ヌメロロジー
1528  インデックス
1530  シーケンス
1604、1904  プロセッサ
1606、1906  コンピュータ可読媒体/メモリ
1614、1914  処理システム
1610、1910  トランシーバ
1624、1924  バス
1806  構成要素、リソース
1810  構成要素、シグナリングする構成要素、通信
1812  構成要素、通信する構成要素
1818  送信
1820  外部送信
1822  受信されたデータ
1826  割当て
1828、1832  情報
1850  UE、ユーザ機器
【図１】
2020504472.tif 000003
【図２Ａ】
2020504472.tif 000004
【図２Ｂ】
2020504472.tif 000005
【図２Ｃ】
2020504472.tif 000006
【図２Ｄ】
2020504472.tif 000007
【図３】
2020504472.tif 000008
【図４Ａ】
2020504472.tif 000009
【図４Ｂ】
2020504472.tif 000010
【図５】
2020504472.tif 000011
【図６】
2020504472.tif 000012
【図７】
2020504472.tif 000013
【図８】
2020504472.tif 000014
【図９】
2020504472.tif 000015
【図１０】
2020504472.tif 000016
【図１１】
2020504472.tif 000017
【図１２】
2020504472.tif 000018
【図１３】
2020504472.tif 000019
【図１４】
2020504472.tif 000020
【図１５】
2020504472.tif 000021
【図１６】
2020504472.tif 000022
【図１７】
2020504472.tif 000023
【図１８】
2020504472.tif 000024
【図１９】
2020504472.tif 000025
【国際調査報告】
2020504472.tif 000026
2020504472.tif 000027
2020504472.tif 000028